(57)【要約】第一データ列と第二データ列とをＯＦＤＭによって送信する送信装置であって、第一データ列と第二データ列とを取得し、取得した第一データ列と第二データ列とを結合し、ＯＦＤＭの複数のサブキャリアに割り当てる割当器（１００）と、複数のサブキャリアからＯＦＤＭ信号を生成する生成器（８０）とを備え、割当器（１００）は、複数のサブキャリアのうちの複数の第一サブキャリアに、第一データ列に含まれるデータと第二データ列に含まれるデータとを割り当て、複数のサブキャリアのうちの複数の第一サブキャリアと異なる複数の第二サブキャリアに、第一データ列に含まれるデータと第二データ列に含まれるデータとのうち第二データ列に含まれるデータを割当てる。
2019537869.tif 000002
【特許請求の範囲】
【請求項１】
第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信装置であって、
前記第一データ列と前記第二データ列とを取得し、取得した前記第一データ列と前記第二データ列とを結合し、ＯＦＤＭの複数のサブキャリアに割り当てる割当器と、
前記複数のサブキャリアからＯＦＤＭ信号を生成する生成器とを備え、
前記割当器は、
前記複数のサブキャリアのうちの複数の第一サブキャリアに、前記第一データ列に含まれるデータと前記第二データ列に含まれるデータとを割り当て、
前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる
送信装置。
【請求項２】
前記割当器は、周波数軸上において所定の整数個おきのサブキャリアを前記第一サブキャリアとして用いて前記割当てをする
請求項１に記載の送信装置。
【請求項３】
前記割当器は、
前記第一データ列に含まれるデータを高電力信号として、前記複数の第一サブキャリアに割当て、
前記第二データ列に含まれるデータを前記高電力信号より電力が低い低電力信号として、前記複数の第一サブキャリア及び前記複数の第二サブキャリアに割当て、
前記低電力信号の電力に対する前記高電力信号の電力の比率は、前記所定の整数が大きいほど大きい
請求項２に記載の送信装置。
【請求項４】
前記送信装置は、さらに、前記複数のサブキャリアに割り当てられたデータをインタリーブするインタリーバを備え、
前記生成器は、前記インタリーバがインタリーブした後の前記複数のサブキャリアからＯＦＤＭ信号を生成し、
前記インタリーバは、
前記複数の第一サブキャリアに含まれる一の第一サブキャリアに割り当てられたデータを他の第一サブキャリアに割り当てられたデータと入れ替え、
前記複数の第二サブキャリアに含まれる一の第二サブキャリアに割り当てられたデータを他の第二サブキャリアに割り当てられたデータと入れ替える
請求項１〜３のいずれか１項に記載の送信装置。
【請求項５】
前記インタリーバは、周波数インタリーバを含み、
前記周波数インタリーバは、
（ａ）前記一の第一サブキャリアに割り当てられたデータを前記他の第一サブキャリアに割り当てられたデータと入れ替え、前記他の第一サブキャリアは前記一の第一サブキャリアと周波数が異なる第一サブキャリアであり、
（ｂ）前記一の第二サブキャリアに割り当てられたデータを前記他の第二サブキャリアに割り当てられたデータと入れ替え、前記他の第二サブキャリアは、前記一の第二サブキャリアと周波数が異なる第二サブキャリアである
請求項４に記載の送信装置。
【請求項６】
前記インタリーバは、時間インタリーバを含み、
前記時間インタリーバは、
（ａ）前記一の第一サブキャリアに割り当てられたデータを前記他の第一サブキャリアに割り当てられたデータと入れ替え、前記他の第一サブキャリアは、前記一の第一サブキャリアと周波数又は時間が異なる第一サブキャリアであり、
（ｂ）前記一の第二サブキャリアに割り当てられたデータを前記他の第二サブキャリアに割り当てられたデータと入れ替え、前記他の第二サブキャリアは、前記一の第二サブキャリアと周波数又は時間が異なる第二サブキャリアである
請求項４又は５に記載の送信装置。
【請求項７】
第一データ列と第二データ列とをＯＦＤＭによって受信する受信装置であって、
ＯＦＤＭ信号を受信する受信器と、
前記受信器が受信した前記ＯＦＤＭ信号から前記第一データ列と前記第二データ列とを読み出す読出器とを備え、
前記読出器は、
ＯＦＤＭの複数のサブキャリアのうちの複数の第一サブキャリアから、前記第一データ列に含まれるデータと前記第二データ列に含まれるデータとを読み出し、
前記複数のサブキャリアのうちの前記複数の第一サブキャリアと異なる複数の第二サブキャリアから、第一データ列に含まれるデータと第二データ列に含まれるデータとのうち第二データ列に含まれるデータを読み出す
受信装置。
【請求項８】
前記読出器は、周波数軸上において所定の整数個おきのサブキャリアを前記第一サブキャリアとして用いて前記読み出しをする
請求項７に記載の受信装置。
【請求項９】
前記読出器は、
前記第一データ列に含まれるデータを高電力信号として、前記複数の第一サブキャリアから読み出し、
前記第二データ列に含まれるデータを前記高電力信号より電力が低い低電力信号として、前記複数の第一サブキャリア及び前記複数の第二サブキャリアから読み出し、
前記低電力信号の電力に対する前記高電力信号の電力の比率は、前記所定の整数が大きいほど大きい
請求項８に記載の受信装置。
【請求項１０】
前記受信装置は、さらに、
前記受信器が受信した前記ＯＦＤＭ信号において、前記複数の第一サブキャリアに含まれる一の第一サブキャリアに割り当てられたデータを他の第一サブキャリアに割り当てられたデータと入れ替え、前記複数の第二サブキャリアに含まれる一の第二サブキャリアに割り当てられたデータを他の第二サブキャリアに割り当てられたデータと入れ替えることで、前記複数のサブキャリアに割り当てられたデータをデインタリーブするデインタリーバを備える
請求項７〜９のいずれか１項に記載の受信装置。
【請求項１１】
前記デインタリーバは、周波数デインタリーバを含み、
前記周波数デインタリーバは、
（ａ）前記一の第一サブキャリアに割り当てられたデータを前記他の第一サブキャリアに割り当てられたデータと入れ替え、前記他の第一サブキャリアは前記一の第一サブキャリアと周波数が異なる第一サブキャリアであり、
（ｂ）前記一の第二サブキャリアに割り当てられたデータを前記他の第二サブキャリアに割り当てられたデータと入れ替え、前記他の第二サブキャリアは、前記一の第二サブキャリアと周波数が異なる第二サブキャリアである
請求項１０に記載の受信装置。
【請求項１２】
前記デインタリーバは、時間デインタリーバを含み、
前記時間デインタリーバは、
（ａ）前記一の第一サブキャリアに割り当てられたデータを前記他の第一サブキャリアに割り当てられたデータと入れ替え、前記他の第一サブキャリアは、前記一の第一サブキャリアと周波数又は時間が異なる第一サブキャリアであり、
（ｂ）前記一の第二サブキャリアに割り当てられたデータを前記他の第二サブキャリアに割り当てられたデータと入れ替え、前記他の第二サブキャリアは、前記一の第二サブキャリアと周波数又は時間が異なる第二サブキャリアである
請求項１０又は１１に記載の受信装置。
【請求項１３】
第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信方法であって、
前記第一データ列と前記第二データ列とを取得し、取得した前記第一データ列と前記第二データ列とを結合し、ＯＦＤＭの複数のサブキャリアに割り当て、
前記複数のサブキャリアからＯＦＤＭ信号を生成する生成し、
前記割り当てでは、
前記複数のサブキャリアのうちの複数の第一サブキャリアに、前記第一データ列に含まれるデータと前記第二データ列に含まれるデータとを割り当て、
前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる
送信方法。
【請求項１４】
第一データ列と第二データ列とをＯＦＤＭによって受信する受信方法であって、
ＯＦＤＭ信号を受信し、
受信した前記ＯＦＤＭ信号から前記第一データ列と前記第二データ列とを読み出し、
前記読み出しでは、
ＯＦＤＭの複数のサブキャリアのうちの複数の第一サブキャリアから、前記第一データ列に含まれるデータと前記第二データ列に含まれるデータとを読み出し、
前記複数のサブキャリアのうちの前記複数の第一サブキャリアと異なる複数の第二サブキャリアから、第一データ列に含まれるデータと第二データ列に含まれるデータとのうち第二データ列に含まれるデータを読み出す
受信方法。
【発明の詳細な説明】
【技術分野】
【０００１】
本発明は、送信装置、受信装置、送信方法、及び、受信方法に関する。
【背景技術】
【０００２】
多重信号を合成信号に多重化することは、データ通信における単一の媒体を共有するための一般的な方法である。伝統的に、異なるサービスを運ぶデータは、時間又は周波数で多重化されている。これらの方法は、時分割多重（ＴＤＭ）及び周波数分割多重（ＦＤＭ）と呼ばれる。ＴＤＭ及びＦＤＭの実際の応用には、それぞれが独自の変調及び時間インタリーバを特徴とする複数のいわゆるＰＬＰ（物理層パイプ）が専用のタイムスロット内で特定の周波数帯域を共有しているＤＶＢ−Ｔ２と、データが周波数領域で厳密に分離されている帯域セグメントで運ばれるので、個々のセグメントの省電力部分受信が可能な日本の有名なワンセグシステムのＩＳＤＢ−Ｔ規格とがある。
【０００３】
ＦＤＭ及びＴＤＭが媒体を共有するための最も効率的な方法ではないことは、長い間知られてきた。これらの利点は、むしろ実装の容易さにある。例えば、非特許文献１から、異なるサービスを重ね合わせると、ＴＤＭ又はＦＤＭのいずれよりも容量が増大することが知られている。ごく最近になって、この形式の多重化は、階層分割多重（ＬＤＭ）と呼ばれる現在の標準、つまりＡＴＳＣ３．０へと発展した（非特許文献２参照）。
【０００４】
直感的には、時間領域又は周波数領域のいずれにおいても一時停止することなく、２つ以上のサービスを同時に送信することによって、容量におけるＴＤＭ／ＦＤＭに対するＬＤＭの優位性が得られる。しかしながら、実際には、ＬＤＭは受信器のより一層の複雑さならびに送信システム設計における制約を伴う。
【先行技術文献】
【非特許文献】
【０００５】
【非特許文献１】Ｐ．Ｐ．Ｂｅｒｇｍａｎｓ及びＴ．Ｍ．Ｃｏｖｅｒによる「連係放送」、ＩＥＥＥ  Ｔｒａｎｓ．Ｉｎｆ．Ｔｈｅｏｒｙ、２０巻、３号、３１７〜３２４ページ、１９７４年５月
【非特許文献２】Ｓ．Ｉ．Ｐａｒｋらによる「ＡＴＳＣ３．０のための低複雑性階層分割」、ＩＥＥＥ放送におけるトランザクション、６２巻、１号、２３３〜２４３ページ、２０１６年３月
【発明の概要】
【発明が解決しようとする課題】
【０００６】
ＬＤＭの従来の実施には改善の余地がある。したがって、本発明の目的は、デジタルデータを送受信するための改善された方法、ならびに対応する送信装置及び受信装置等を提供することである。
【０００７】
これは、独立請求項に記載の特徴によって達成される。
【０００８】
階層分割多重の文脈では、拡張層との重ね合わせの前にコア層をアップサンプリングすることが本発明の特定の手法である。この手法であれば、たとえ長いＯＦＤＭシンボルが使用されていても、コア層の時変チャネルに対する脆弱性は減少する。
【課題を解決するための手段】
【０００９】
本発明の一態様に係る送信装置は、第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信装置であって、前記第一データ列と前記第二データ列とを取得し、取得した前記第一データ列と前記第二データ列とを結合し、ＯＦＤＭの複数のサブキャリアに割り当てる割当器と、前記複数のサブキャリアからＯＦＤＭ信号を生成する生成器とを備え、前記割当器は、前記複数のサブキャリアのうちの複数の第一サブキャリアに、前記第一データ列に含まれるデータと前記第二データ列に含まれるデータとを割り当て、前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる。
【００１０】
なお、これらの包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【００１１】
本発明は、デジタルデータを送受信するための改善された方法、ならびに対応する送信装置及び受信装置等を提供する。
【図面の簡単な説明】
【００１２】
【図１】ＡＴＳＣ３．０に係る、２層ＬＤＭのためのコンステレーション重ね合わせのための従来技術を示すブロック図である。
【図２Ａ】静的チャネルを介して受信した厳密に直交のサブキャリアを示すスペクトル図である。
【図２Ｂ】急速時変チャネルを介して受信したサブキャリア間のキャリア間干渉を示すスペクトル図である。
【図３】１つおきのサブキャリアのみが変調される状況における低減されたキャリア間干渉を示すスペクトル図である。
【図４Ａ】ＬＤＭ及びＯＦＤＭが静的チャネル上で使用される状況におけるサブキャリアを示すスペクトル図である。
【図４Ｂ】ＬＤＭ及びＯＦＤＭが急速時変チャネル上で使用される状況におけるサブキャリアを示すスペクトル図である。
【図５】実施の形態１に係る、２層ＬＤＭのためのコンステレーション重ね合わせの技術を示すブロック図である。
【図６Ａ】実施の形態１に係る、ＬＤＭ合成信号を有する送信されたＯＦＤＭシンボルを示すスペクトル図である。
【図６Ｂ】実施の形態１に係る、急速時変チャネルを介して受信したＬＤＭ合成信号を有するＯＦＤＭシンボルを示すスペクトル図である。
【図７】実施の形態１に係る、２つのＬＤＭ層のための送信器の概略ブロック図である。
【図８Ａ】実施の形態１に係る、上位層の受信器の概略ブロック図である。
【図８Ｂ】実施の形態１に係る、下位層のＳＩＣ受信器の概略ブロック図である。
【図９】実施の形態２に係る、２層ＬＤＭのためのコンステレーション重ね合わせ及びインタリーブの技術を示すブロック図である。
【図１０Ａ】実施の形態２に係る、ＬＤＭ合成信号を有する送信されたＯＦＤＭシンボルを示すスペクトル図である。
【図１０Ｂ】実施の形態２に係る、急速時変チャネルを介して受信したＬＤＭ合成信号を有するＯＦＤＭシンボルを示すスペクトル図である。
【図１１Ａ】Ｍ＝３の上位層アップサンプリングでＬＤＭ合成器によって出力されたＬＤＭ合成セルのシーケンスの概略図である。
【図１１Ｂ】図１１Ａのセルシーケンスで動作するインタリーブ段の概略図である。
【図１２Ａ】単一のＬＤＭグループからの１つのコアＰＬＰ及び１つの拡張ＰＬＰの概略図である。
【図１２Ｂ】第一ＬＤＭグループ０内の１つのコアＰＬＰ及び１つの拡張ＰＬＰ、ならびに第二ＬＤＭグループ１内の単一のＰＬＰの概略図である。
【図１２Ｃ】３つのＬＤＭグループを生成する、コア層上の３つのＰＬＰ及び拡張層上の単一のＰＬＰの概略図である。
【図１２Ｄ】単一のＬＤＭグループを生成する、コア層上の単一のＰＬＰ及び拡張層上の３つのＰＬＰの概略図である。
【図１２Ｅ】２つのＬＤＭグループを生成する、コア及び拡張層上の２つのＰＬＰの概略図であり、第四ＰＬＰ（ｐｌｐ＿ｉｄ＿３）は、２つのＬＤＭグループによって共有されている。
【図１３Ａ】上位層の時間インタリーバのレイアウトの概略図である。
【図１３Ｂ】下位層及び下位層上の単一のＰＬＰのための時間インタリーバのレイアウトの概略図である。
【図１４Ａ】下位層時間インタリーバを通過する２つの拡張ＰＬＰのうちの一の概略図である。
【図１４Ｂ】下位層時間インタリーバを通過する２つの拡張ＰＬＰのうちの他の概略図である。
【図１４Ｃ】下位層時間インタリーバの概略図である。
【図１５】Ｎ個のデータセルの塊の中の周波数インタリーバを合計Ｋ個のセルの時間インタリーバ出力に適用する概略図である。
【図１６Ａ】実施の形態２に係る、上位層の受信器の概略ブロック図である。
【図１６Ｂ】実施の形態２に係る、下位層のＳＩＣ受信器の概略ブロック図である。
【図１７】図１７は、各実施の形態の送信装置の構成を示すブロック図である。
【図１８】図１８は、各実施の形態の受信装置の構成を示すブロック図である。
【図１９】図１９は、各実施の形態の送信方法を示すフロー図である。
【図２０】図２０は、各実施の形態の受信方法を示すフロー図である。
【発明を実施するための形態】
【００１３】
本発明の一態様に係る送信装置は、第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信装置であって、前記第一データ列と前記第二データ列とを取得し、取得した前記第一データ列と前記第二データ列とを結合し、ＯＦＤＭの複数のサブキャリアに割り当てる割当器と、前記複数のサブキャリアからＯＦＤＭ信号を生成する生成器とを備え、前記割当器は、前記複数のサブキャリアのうちの複数の第一サブキャリアに、前記第一データ列に含まれるデータと前記第二データ列に含まれるデータとを割り当て、前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる。
【００１４】
上記態様によれば、送信装置は、第一データ列と第二データ列とをＯＦＤＭのサブキャリアに適切に割当てて送信できる。具体的には、第一サブキャリアは、第一データ列に含まれるデータと第二データ列に含まれるデータとの両方を含んでおり、第二サブキャリアは、第一データ列に含まれるデータと第二データ列に含まれるデータとのうち第二データ列に含まれるデータだけを含んでいる。よって、第一データ列に含まれるデータは、第二データ列に含まれるデータより周波数軸上で広い間隔でサブキャリアに配置される。そのため、第一データ列に含まれるデータは、通信時にドップラーシフト等の影響でサブキャリアの周波数幅が拡がった場合でも、その拡がったことによる影響を第二データ列より受けにくい利点がある。また、第二データ列は、第一データ列に含まれるデータ列より周波数軸上で狭い間隔でサブキャリアに配置される。そのため、第二データ列に含まれるデータは、第一データ列に含まれるデータより容量が大きいデータであることが許容される利点がある。このように、第一データ列に含まれるデータのエラー耐性を向上するとともに、第二データ列に含まれるデータの許容データ容量を大きくすることができる。このように、本発明に係る送信装置は、デジタルデータの送信性能を向上できる。
【００１５】
例えば、前記割当器は、周波数軸上において所定の整数個おきのサブキャリアを前記第一サブキャリアとして用いて前記割当てをしてもよい。
【００１６】
上記態様によれば、送信装置は、周波数軸上で所定の整数個おきのサブキャリアに第一データ列に含まれるデータと第二データ列に含まれるデータとの両方を割当てる。これにより、第一データ列に含まれるデータが割当てられるサブキャリアが周波数軸上で均等な間隔を有するようになるので、通信時におけるドップラーシフト等の影響をより一層、受けにくくすることができる。
【００１７】
例えば、前記割当器は、前記第一データ列に含まれるデータを高電力信号として、前記複数の第一サブキャリアに割当て、前記第二データ列に含まれるデータを前記高電力信号より電力が低い低電力信号として、前記複数の第一サブキャリア及び前記複数の第二サブキャリアに割当て、前記低電力信号の電力に対する前記高電力信号の電力の比率は、前記所定の整数が大きいほど大きくしてもよい。
【００１８】
上記態様によれば、送信装置は、周波数軸上での間隔に応じて第一データ列に含まれる信号の電力を大きくすることで、送信電力を均一に近づけることができる。
【００１９】
例えば、前記送信装置は、さらに、前記複数のサブキャリアに割り当てられたデータをインタリーブするインタリーバを備え、前記生成器は、前記インタリーバがインタリーブした後の前記複数のサブキャリアからＯＦＤＭ信号を生成し、前記インタリーバは、前記複数の第一サブキャリアに含まれる一の第一サブキャリアに割り当てられたデータを他の第一サブキャリアに割り当てられたデータと入れ替え、前記複数の第二サブキャリアに含まれる一の第二サブキャリアに割り当てられたデータを他の第二サブキャリアに割り当てられたデータと入れ替えてもよい。
【００２０】
上記態様によれば、送信装置は、第一サブキャリアに割り当てられたデータ同士のインタリーブと、第二サブキャリアに割り当てられたデータ同士のインタリーブとを行う。これにより、送信電力の変動を抑制しながら送信データのインタリーブを行うことができる。
【００２１】
例えば、前記インタリーバは、周波数インタリーバを含み、前記周波数インタリーバは、（ａ）前記一の第一サブキャリアに割り当てられたデータを前記他の第一サブキャリアに割り当てられたデータと入れ替え、前記他の第一サブキャリアは前記一の第一サブキャリアと周波数が異なる第一サブキャリアであり、（ｂ）前記一の第二サブキャリアに割り当てられたデータを前記他の第二サブキャリアに割り当てられたデータと入れ替え、前記他の第二サブキャリアは、前記一の第二サブキャリアと周波数が異なる第二サブキャリアであってもよい。
【００２２】
上記態様によれば、送信装置は、インタリーブとして周波数インタリーブを用いる。送信装置は、このような具体的構成に基づいて送信データのインタリーブを行う。
【００２３】
例えば、前記インタリーバは、時間インタリーバを含み、前記時間インタリーバは、（ａ）前記一の第一サブキャリアに割り当てられたデータを前記他の第一サブキャリアに割り当てられたデータと入れ替え、前記他の第一サブキャリアは、前記一の第一サブキャリアと少なくとも周波数又は時間が異なる第一サブキャリアであり、（ｂ）前記一の第二サブキャリアに割り当てられたデータを前記他の第二サブキャリアに割り当てられたデータと入れ替え、前記他の第二サブキャリアは、前記一の第二サブキャリアと少なくとも周波数又は時間が異なる第二サブキャリアであってもよい。
【００２４】
上記態様によれば、送信装置は、インタリーブとして時間インタリーブを用いる。送信装置は、このような具体的構成に基づいて送信データのインタリーブを行う。
【００２５】
本発明の一態様に係る受信装置は、第一データ列と第二データ列とをＯＦＤＭによって受信する受信装置であって、ＯＦＤＭ信号を受信する受信器と、前記受信器が受信した前記ＯＦＤＭ信号から前記第一データ列と前記第二データ列とを読み出す読出器とを備え、前記読出器は、ＯＦＤＭの複数のサブキャリアのうちの複数の第一サブキャリアから、前記第一データ列に含まれるデータと前記第二データ列に含まれるデータとを読み出し、前記複数のサブキャリアのうちの前記複数の第一サブキャリアと異なる複数の第二サブキャリアから、第一データ列に含まれるデータと第二データ列に含まれるデータとのうち第二データ列に含まれるデータを読み出す。
【００２６】
上記態様によれば、受信装置は、第一データ列と第二データ列とが適切に割り当てられたＯＦＤＭのサブキャリアを受信できる。具体的には、第一サブキャリアは、第一データ列に含まれるデータと第二データ列に含まれるデータとの両方を含んでおり、第二サブキャリアは、第一データ列に含まれるデータと第二データ列に含まれるデータとのうち第二データ列に含まれるデータだけを含んでいる。よって、第一データ列に含まれるデータは、第二データ列に含まれるデータより周波数軸上で広い間隔でサブキャリアに配置される。そのため、第一データ列に含まれるデータは、通信時にドップラーシフト等の影響でサブキャリアの周波数幅が拡がった場合でも、その拡がったことによる影響を第二データ列より受けにくい利点がある。また、第二データ列は、第一データ列に含まれるデータ列より周波数軸上で狭い間隔でサブキャリアに配置される。そのため、第二データ列に含まれるデータは、第一データ列に含まれるデータより容量が大きいデータであることが許容される利点がある。このように、第一データ列に含まれるデータのエラー耐性を向上するとともに、第二データ列に含まれるデータの許容データ容量を大きくすることができる。このように、本発明に係る受信装置は、デジタルデータの受信性能を向上できる。
【００２７】
例えば、前記読出器は、周波数軸上において所定の整数個おきのサブキャリアを前記第一サブキャリアとして用いて前記読み出しをしてもよい。
【００２８】
上記態様によれば、受信装置は、周波数軸上で所定の整数個置きのサブキャリアに割り当てられた第一データ列に含まれるデータと第二データ列に含まれるデータとの両方を受信できる。これにより、第一データ列に含まれるデータが割当てられるサブキャリアが周波数軸上で均等な間隔を有するようになるので、通信時におけるドップラーシフト等の影響をより一層、受けにくくすることができる。
【００２９】
例えば、前記読出器は、前記第一データ列に含まれるデータを高電力信号として、前記複数の第一サブキャリアから読み出し、前記第二データ列に含まれるデータを前記高電力信号より電力が低い低電力信号として、前記複数の第一サブキャリア及び前記複数の第二サブキャリアから読み出し、前記低電力信号の電力に対する前記高電力信号の電力の比率は、前記所定の整数が大きいほど大きくしてもよい。
【００３０】
上記態様によれば、受信装置は、周波数軸上での間隔に応じて第一データ列に含まれる信号の電力を大きくすることで、受信電力を均一に近づけることができる。
【００３１】
例えば、前記受信装置は、さらに、前記受信器が受信した前記ＯＦＤＭ信号において、前記複数の第一サブキャリアに含まれる一の第一サブキャリアに割り当てられたデータを他の第一サブキャリアに割り当てられたデータと入れ替え、前記複数の第二サブキャリアに含まれる一の第二サブキャリアに割り当てられたデータを他の第二サブキャリアに割り当てられたデータと入れ替えることで、前記複数のサブキャリアに割り当てられたデータをデインタリーブするデインタリーバを備えてもよい。
【００３２】
上記態様によれば、受信装置は、第一サブキャリアに割り当てられたデータ同士のデインタリーブと、第二サブキャリアに割り当てられたデータ同士のデインタリーブとを行う。これにより、受信電力の変動を抑制しながら受信データのデインタリーブを行うことができる。
【００３３】
例えば、前記デインタリーバは、周波数デインタリーバを含み、前記周波数デインタリーバは、（ａ）前記一の第一サブキャリアに割り当てられたデータを前記他の第一サブキャリアに割り当てられたデータと入れ替え、前記他の第一サブキャリアは前記一の第一サブキャリアと周波数が異なる第一サブキャリアであり、（ｂ）前記一の第二サブキャリアに割り当てられたデータを前記他の第二サブキャリアに割り当てられたデータと入れ替え、前記他の第二サブキャリアは、前記一の第二サブキャリアと周波数が異なる第二サブキャリアであってもよい。
【００３４】
上記態様によれば、受信装置は、デインタリーブとして周波数デインタリーブを用いる。受信装置は、このような具体的構成に基づいて受信データのデインタリーブを行う。
【００３５】
例えば、前記デインタリーバは、時間デインタリーバを含み、前記時間デインタリーバは、（ａ）前記一の第一サブキャリアに割り当てられたデータを前記他の第一サブキャリアに割り当てられたデータと入れ替え、前記他の第一サブキャリアは、前記一の第一サブキャリアと少なくとも周波数又は時間が異なる第一サブキャリアであり、（ｂ）前記一の第二サブキャリアに割り当てられたデータを前記他の第二サブキャリアに割り当てられたデータと入れ替え、前記他の第二サブキャリアは、前記一の第二サブキャリアと少なくとも周波数又は時間が異なる第二サブキャリアであってもよい。
【００３６】
上記態様によれば、受信装置は、デインタリーブとして時間デインタリーブを用いる。受信装置は、このような具体的構成に基づいて受信データのデインタリーブを行う。
【００３７】
本発明の一態様に係る送信方法は、第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信方法であって、前記第一データ列と前記第二データ列とを取得し、取得した前記第一データ列と前記第二データ列とを結合し、ＯＦＤＭの複数のサブキャリアに割り当て、前記複数のサブキャリアからＯＦＤＭ信号を生成し、前記割り当てでは、前記複数のサブキャリアのうちの複数の第一サブキャリアに、前記第一データ列に含まれるデータと前記第二データ列に含まれるデータとを割り当て、前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる。
【００３８】
これにより、上記送信装置と同様の効果を奏する。
【００３９】
本発明の一態様に係る受信方法は、第一データ列と第二データ列とをＯＦＤＭによって受信する受信方法であって、ＯＦＤＭ信号を受信し、受信した前記ＯＦＤＭ信号から前記第一データ列と前記第二データ列とを読み出し、前記読み出しでは、ＯＦＤＭの複数のサブキャリアのうちの複数の第一サブキャリアから、前記第一データ列に含まれるデータと前記第二データ列に含まれるデータとを読み出し、前記複数のサブキャリアのうちの前記複数の第一サブキャリアと異なる複数の第二サブキャリアから、第一データ列に含まれるデータと第二データ列に含まれるデータとのうち第二データ列に含まれるデータを読み出す。
【００４０】
これにより、上記受信装置と同様の効果を奏する。
【００４１】
なお、これらの包括的または具体的な態様は、システム、装置、集積回路、コンピュータプログラムまたはコンピュータ読み取り可能なＣＤ−ＲＯＭなどの記録媒体で実現されてもよく、システム、装置、集積回路、コンピュータプログラムまたは記録媒体の任意な組み合わせで実現されてもよい。
【００４２】
以下、実施の形態について、図面を参照しながら具体的に説明する。
【００４３】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４４】
（実施の形態１）
本発明の第一態様に係って、デジタルデータを送信するための方法が提供される。方法は、第一サービスのデジタルデータを変調することによって第一変調信号を生成するステップ、第二サービスのデジタルデータを変調することによって第二変調信号を生成するステップ、第一変調信号と第二変調信号とを加算することによって合成信号を生成するステップ、及び合成信号を送信するステップを含む。この方法は、第一変調信号を係数Ｍでアップサンプリングすることを特徴とし、Ｍは１より大きい正の整数であり、合成信号はアップサンプリングされた信号と第二変調信号とを加算することによって生成される。
【００４５】
第一変調信号は、好ましくは、第一変調信号の２つの連続するサンプル毎に（Ｍ−１）個のゼロを挿入することによってアップサンプリングされる。他のアップサンプリング方法も考えられるが、第一サービスを運んでいないサブキャリアのスペクトルエネルギーがゼロに低減される場合、キャリア間干渉の抑制が最も効果的である。
【００４６】
好ましい実施の形態では、アップサンプリングされた信号は、アップサンプリングプロセスによって引き起こされる電力の減少を補償するために、係数ｓｑｒｔ（Ｍ）によってスケーリングされてもよい。ｓｑｒｔ（Ｍ）の理論値に近似する様々なスケール係数もまた使用され得る。他の実施の形態は、電力減少の補償を省くことができる。
【００４７】
別の好ましい実施の形態では、第二変調信号は、第二層データの注入レベルを制御するために、１以下の所定の正の係数によってスケーリングされる。このステップは、第二層データの変調が適切な振幅を有する変調信号をもたらす場合には省くことができる。追加的又は代替的に、合成信号の電力レベルは他のスケーリング操作によって正規化されてもよい。加算ステップの前に第一変調信号及び第二変調信号の両方を適切な重みでスケーリングすることを含む、注入レベル及び合成信号全体の電力を制御するための他の手段が考えられる。
【００４８】
好ましい実施の形態は、合成信号を所定の長さのフレームに分割するステップをさらに含み、各フレームのデータは、直交周波数分割多重方式ＯＦＤＭによって同時に送信される。
【００４９】
ＯＦＤＭは、広帯域通信チャネルを介してデジタルデータを送信するための好ましい方法であり、ＤＶＢ−Ｔ２及びＡＴＳＣ３．０を含む多くのデジタル放送及び通信規格において使用されている。
【００５０】
好ましくは、第一サービスのデータは、Ｍ番目毎のＯＦＤＭサブキャリアのみで送信される。これは、時変チャネル上の第一層データに対するＩＣＩを減少させ、同時に第二層データに対する長いＯＦＤＭシンボルを可能にする。したがって、モバイル機器は高い信頼性で第一サービスを受信することができ、一方、固定機器は高いデータレートで第二サービスを受信することができる。
【００５１】
本発明の第二態様に係って、デジタルデータを受信するための方法が提供される。前記方法は、合成信号を受信するステップ、受信した合成信号を係数Ｍでダウンサンプリングするステップであって、Ｍは１より大きい正の整数であり、そしてダウンサンプリングされた信号を復調することによって第一サービスのデジタルデータを取り出すステップを含む。
【００５２】
好ましい実施の形態では、この方法は、第一サービスの取り出されたデジタルデータを変調することによって再変調信号を生成するステップ、係数Ｍで再変調信号をアップサンプリングするステップ、アップサンプリングされた信号を合成信号から減算することによって差信号を生成するステップ、及び差信号を復調することによって第二サービスのデジタルデータを取り出すステップをさらに含む。
【００５３】
受信方法は、アップサンプリングプロセスによって引き起こされる電力減少を補償するために、アップサンプリングされ再変調された信号を係数ｓｑｒｔ（Ｍ）でスケーリングするステップをさらに含んでもよい。
【００５４】
好ましい実施の形態では、合成信号は一連のＯＦＤＭシンボルを復号することによって受信される。さらに、ダウンサンプリングステップは、Ｍ番目毎のＯＦＤＭサブキャリアのみを維持することができ、それによって、本発明の利点、つまり急速時変チャネル上のＩＣＩの低減を達成することができる。
【００５５】
本発明の第三態様に係って、デジタルデータを送信するための送信器が提供される。送信器は、第一サービスのデジタルデータを変調することによって第一変調信号を生成するための第一変調器、第二サービスのデジタルデータを変調することによって第二変調信号を生成するための第二変調器、第一変調信号と第二変調信号とを加算することによって合成信号を生成するための信号合成器、合成信号を送信するための出力段（ステージ）を備える。送信器は、第一変調信号を係数Ｍでアップサンプリングするアップサンプリング部を特徴とし、Ｍは１より大きい正の整数であり、合成信号はアップサンプリングされた信号と第二変調信号とを加算することによって生成される。
【００５６】
本発明の第四態様に係って、デジタルデータを受信するための受信器が提供される。受信器は、合成信号を受信するための入力段（ステージ）、受信した合成信号を係数Ｍでダウンサンプリングするためのダウンサンプリング部であって、Ｍは１より大きい正の整数であり、そしてダウンサンプリングされた信号を復調することによって第一サービスのデジタルデータを取り出すための第一復調器を備える。
【００５７】
好ましい実施の形態では、受信器は、第一サービスの取り出されたデジタルデータを変調することによって再変調信号を生成するための変調器、係数Ｍで再変調信号をアップサンプリングするためのアップサンプリング部、アップサンプリングされた信号を合成信号から減算することによって差信号を生成するための信号減算器、及び差信号を復調することによって第二サービスのデジタルデータを取り出すための第二復調器をさらに備える。このようにして、受信器は、第一層データと第二層データとの両方を取り出すことができる。
【００５８】
実施の形態１について以降で詳細に説明する。
【００５９】
図１は、上位層及び下位層と呼ばれる２つの層に対するＬＤＭの一般概念を示す。もちろん原則として、３つ以上の層が考えられる。両方の層が１つ以上の物理層パイプ（ＰＬＰ）を運ぶことができる。上位層はモバイル受信を目的とした低速サービスＸＵを運び、下位層は固定受信を目的とした高速サービスＸＬを運ぶ。注入レベル制御器は、下位層の電力を低下させるスケール係数α≦１を提供し、続いて２つの層が重ね合わされて正規化されていない信号ＸＵ＋αＸＬを生成する。その後、合成信号は適切なスケール係数βを介して単位電力に正規化される。
【００６０】
なお、上位層が運ぶデータ列を第一データ列ともいい、下位層が運ぶデータ列を第二データ列ともいう。
【００６１】
新しい地上デジタルテレビ（ＤＴＴ）システムであり、ＬＤＭを初めて実装したＡＴＳＣ３．０は、直交周波数分割多重（ＯＦＤＭ）及びビットインタリーブ符号化変調（ＢＩＣＭ）に基づいている。したがって、図１では、上位層のデジタルデータ用の第一ＢＩＣＭ部（１０）と下位層のデジタルデータ用の第二ＢＩＣＭ部（２０）とがある。各ＢＩＣＭ部（１０、２０）は、入力データを誤り訂正コードで符号化するためのエンコーダ（図示せず）、バーストエラーに対する回復力を高めるためのビットインタリーバ（図示せず）、及び符号化されインタリーブされたビットシーケンスを複素デジタルシンボル又はセルのベースバンドシーケンスにマッピングするためのシンボルマッパ（図示せず）を含む。ここで、シンボルのシーケンスは変調信号とも呼ばれる。
【００６２】
下位層の変調信号は、注入レベル制御器（３０）を介して供給され、注入レベル制御器（３０）は係数α≦１によるスケーリングを施す。スケーリングされた下位層信号と（スケーリングされていない）上位層信号とはその後、セル毎に代数加算を実行する信号加算器（４０）によって結合される。この演算の結果は、合成信号の電力を正規化するためにもう一度スケーリングされてもよい（電力正規化部５０）。注入レベルを制御するプロセス及び合成信号の電力を正規化するプロセスは、２つの信号の適切に重み付けされた合計を計算する単一ステップに組み合わされてもよく、又は他の任意の適切な方法で実行されてもよい。
【００６３】
ＡＴＳＣ３．０では、上位層はコア層と呼ばれ、下位層は拡張層と呼ばれることに留意されたい。それ以外の階層分割多重は、図１に示すように指定されている。
【００６４】
対応する受信器動作は、上位層のみに関与するモバイル受信器はやはり上位層のみを検出する、というように理解される。下位層に関与する固定受信器は、連続的な干渉除去を実行することを要求される、つまり、上位層が最初に検出される。上位層が首尾よく検出されたと仮定すると、上位層は次に再変調され、再変調されたセルは最終的に下位層を検出するために受信セルから減算される。
【００６５】
図１に係ると、上位層の各セルは下位層からの対応するセルと対になり、結果として合成信号となり、続いてインタリーブ段（ステージ）、フレーミング段（ステージ）、そして最後にＯＦＤＭ段（ステージ）自体に移る。
【００６６】
ここで、最初の妥協点がある、つまり、時間インタリーブおよび周波数インタリーブが合成信号に施されるが、モバイル信号及び固定信号には異なるインタリーブ段が望ましい場合がある。両方の信号が専用のインタリーブ段を使用することが考えられるが、これは、連続的な干渉除去中の追加のインタリーブ動作のために受信器の複雑さを増すことになる。
【００６７】
第二の妥協点は、単一のＯＦＤＭ信号での合成信号の搬送から生じる、つまり、両方の層が暗黙のうちに同じＦＦＴ長を使用することである。ここで、明確な設計上の矛盾が明らかになる、つまり、モバイル上位層はドップラー拡散に対して回復力を有するように短いＦＦＴから恩恵を受けるが、固定下位層はガードインターバルの観点からの損失を最小にするために長いＦＦＴから恩恵を受ける。実際には、中間グラウンドは３２Ｋ  ＦＦＴではなく８Ｋ又は１６Ｋ  ＦＦＴの形式で選択される。
【００６８】
直交周波数分割多重は、広い帯域幅でデータを送信するための確立された方法である。直交サブキャリアでデータを送信し、サイクリックプレフィックスを使用してチャネルの最大予測遅延拡散を超えてＯＦＤＭシンボル期間をさらに拡張して受信器での等化ステップを単純化することによって、マルチパス効果にうまく対処する。
【００６９】
図２Ａは、静的チャネルを介して受信した厳密に直交のサブキャリアを示すスペクトル図である。サブキャリアスペクトルは、それらの典型的なシンクタイプの挙動を示し、正規化周波数ｆＴＳの整数倍では、単一のサブキャリアのみが非ゼロであり、すべての隣接サブキャリアはゼロを通過する。ここで、ｆＴＳはサブキャリア間隔１／ＴＳに正規化された周波数ｆを表し、ＴＳはＯＦＤＭシンボル期間を表す。
【００７０】
しかしながら、シンボル期間が長くなると、ＯＦＤＭはチャネルの時変変化（経時変化）に対して脆弱になる。特に、チャネルインパルス応答がＯＦＤＭシンボル期間中に変化すると、サブキャリアの直交性が失われる。これは、フーリエ変換及びその時間領域と周波数領域との対応の直接的な結果である。ＦＦＴ後に周波数領域でサブキャリア直交性が失われる結果として、キャリア間干渉（ＩＣＩ）が発生する可能性があり、これは、キャリア対干渉雑音電力ＣＩＮＲを減少させ、受信器がより速く移動するほどキャリア間干渉が増える。
【００７１】
図２Ｂは、急速時変チャネルを介して受信したサブキャリア間のキャリア間干渉を示すスペクトル図である。図から分かるように、サブキャリアスペクトルは時変チャネルのために拡大され、したがって任意のサブキャリアにおいてその隣接サブキャリアは今は非ゼロであり（［１］によって示される）、互いに干渉する。これは、図２ＡのＩＣＩなしの厳密に直交な条件と比較する必要がある。
【００７２】
図３は、１つおきのサブキャリアのみが変調される状況における低減されたキャリア間干渉を示すスペクトル図である（実線［１］）。変調されたサブキャリアはγ＝ｓｑｒｔ（２）≒１．４１４の値でブーストされて単位電力を生成し、変調されていないサブキャリア（破線）は参考として示されているだけで実際には送信されない。２つの隣接サブキャリアからの最大の寄与干渉（［２］）が抑制され、能動的に変調されたサブキャリア（［１］）におけるＣＩＮＲが増加することが容易に観察される。
【００７３】
図４Ａは、図１に従ってＬＤＭが実行され、合成信号がＯＦＤＭシンボル上に変調される状況における全てのサブキャリアの関係を示す。上位層は実線で示され、下位層はその選択された注入レベルまでその出力を下げた後で一点鎖線で示される。図４Ｂは、急速に時間変化する条件、つまりＩＣＩが上位層および下位層の両方によって引き起こされる場合のＩＣＩ状況を示す。
【００７４】
したがって、原則として、ＬＤＭは、例えばモバイルおよび固定といった異なるタイプの受信器に、情報理論的に最適な方法で同時に役立つことができる。しかしながら、マルチパス効果に対処するためにＬＤＭがＯＦＤＭと対にされる場合、単一のＦＦＴ長が両方の層に暗黙のうちに割り当てられるが、モバイル層は好ましくはドップラー回復力のために短いＦＦＴを使用し、固定層は高いスペクトル効率のために長いＦＦＴを使用する。
【００７５】
本発明は、図５に示される構成を用いて、長いＦＦＴ及びドップラー回復力に対する優先度間のこの矛盾を解決する。
【００７６】
図５は、本発明の一実施の形態に係る、２層ＬＤＭのためのコンステレーション重ね合わせの技術を示すブロック図である。図５は、図１に示した一般的なＬＤＭ結合器と類似しており、類似の要素は類似の参照番号によって識別され、その詳細な説明は省略する。
【００７７】
図５の構成は、ＬＤＭ結合器（１００）が上位層分岐にアップサンプリング部（６０）と電力ブースタ（７０）とをさらに備えるという点で、図１の従来の構成と異なる。アップサンプリング部（６０）は、その入力信号に対してＭ倍のアップサンプリングを実行する。これは、例えば、その入力において２つの連続するサンプル（シンボル又はセル）ＸＵの間に（Ｍ−１）個のゼロを挿入し、それによってアップサンプリングされた信号ＸＵＭを生成することによって達成され得る。ゼロを挿入すると、電力が減少する。電力減少を補償するために、アップサンプリング係数Ｍの平方根に等しい係数γ、つまりγ＝ｓｑｒｔ（Ｍ）だけ信号の電力をブーストする電力ブースタ（７０）が設けられる。この電力ブーストは、上位層信号γＸＵＭに単位電力を持たせる。
【００７８】
この手法の利点は、ＬＤＭ合成信号が例えば３２ｋのＦＦＴの非常に長いＯＦＤＭ信号で運ばれ得ることで、下位層はあらゆるサブキャリアを利用することができるのでスペクトル効率が高くなり、上位層はＭ番目毎のサブキャリアのみを利用するため、ドップラー拡散に対して非常に頑健となる。
【００７９】
図６Ａは、本発明の実施の形態１に係る、ＬＤＭ合成信号を有する送信されたＯＦＤＭシンボルを示すスペクトル図である。図６Ａは、上位層（実線）のデータが偶数サブキャリアのみ（Ｍ＝２）で変調され、下位層（一点鎖線）のデータが全てのサブキャリアで変調されること以外は、図４Ａと同様である。図４Ａの従来の合成信号の奇数サブキャリアのスペクトルエネルギーが、例示目的のためだけに破線で表されている。この信号成分は、本発明のＬＤＭ合成信号には存在しない。
【００８０】
図６Ｂは、時変チャネルを介して受信されるときの図６ＡのＯＦＤＭシンボルを示すスペクトル図である。図６Ｂは、上位層（実線）のデータが偶数サブキャリアのみ（Ｍ＝２）で変調され、下位層（一点鎖線）のデータが全てのサブキャリアで変調されること以外は、図４Ｂと同様である。図６Ａと同様に、従来の合成信号の奇数サブキャリアのスペクトルエネルギーが、例示目的のためだけに破線で表されている。この信号成分は、本発明のＬＤＭ合成信号には存在しない。図６Ｂから、特に図６Ｂと図４Ｂとの比較から分かるように、隣接するサブキャリアからのキャリア間干渉は、従来のＬＤＭ合成信号と比較して著しく低減されている（［１］）。
【００８１】
図７は、本発明の一実施の形態に係る、２つのＬＤＭ層のための送信器の概略ブロック図である。図７は、図１に示した一般的なＬＤＭ結合器及び図５の実施の形態によるＬＤＭ結合器と類似しており、類似の要素は類似の参照番号によって識別され、その詳細な説明は省略する。
【００８２】
送信器は、上位層データ及び下位層データのそれぞれに対して２つのＢＩＣＭ部（１０、２０）を備える。各ＢＩＣＭ部（１０、２０）は、入力データを誤り訂正コードで符号化するためのエンコーダ（図示せず）、バーストエラーに対する回復力を高めるためのビットインタリーバ（図示せず）、及び符号化されインタリーブされたビットシーケンスを複素デジタルシンボルのベースバンドシーケンスにマッピングするためのセルマッパ（図示せず）を含む。次に、図５に関連して上述したように、上位層の変調信号と下位層の変調信号とが、ＬＤＭ結合器（１００）において合成信号に結合される。
【００８３】
ＬＤＭ結合器（１００）によって生成された合成信号は、その後、所望の送信信号を生成するために他の様々な処理部を通して供給される。これらの処理部は、時間インタリーバ（７２）、周波数インタリーバ（７４）、ＯＦＤＭフレーマ（８０）、パイロット挿入（図示せず）、逆フーリエ変換（図示せず）、デジタル／アナログ変換（図示せず）、電力増幅（図示せず）などを含み得る。これらの処理ステップの結果は、放送アンテナによって送信されてもよい。
【００８４】
送信信号は、２つのタイプの受信器、つまり（ｉ）高いドップラー拡散を経験し、したがって上位層上の実質的に増加したサブキャリア間隔から恩恵を受けるモバイル受信器、及び（ｉｉ）高いドップラー拡散の影響を受けず、したがって長いＦＦＴ長から利益を得る固定受信器に提供されることを理解されたい。
【００８５】
図８Ａは、上位層のみを受信するように構成されている受信器、例えばモバイル受信器の概略ブロック図である。受信器は、合成信号を受信するための、ＯＦＤＭ復調器（１１０）と周波数デインタリーバ（１２０）と、それに続く時間デインタリーバ（１２５）とを備える。受信した合成信号は、上位層データを運ぶサブキャリアを分離するために、ダウンサンプリング部（１３０）において係数Ｍによってダウンサンプリングされる。その後、ダウンサンプリングされた信号は、上位層のデジタルデータを取り出すために復調器（１４０）において復調される。
【００８６】
図８Ｂは、上位層及び下位層の両方を受信するように構成されている受信器、例えば固定受信器の概略ブロック図である。図８Ｂの受信器は、ＯＦＤＭ復調器（１１０）、周波数デインタリーバ（１２０）、及び時間インタリーバ（１２５）を含む、合成信号を受信するための図８Ａの受信器の全ての構成要素を含む。受信した合成信号は、上位層データを運ぶサブキャリアを分離するために、ダウンサンプリング部（１３０）において係数Ｍによってダウンサンプリングされる。上位層のデジタルデータは、第一復調器（１４０）によって取り出される。
【００８７】
下位層データも取り出すために、上位層データを再変調するための変調器１５０、再変調された信号をアップサンプリングするためのアップサンプリング部（１６０）、及びアップサンプリングされた信号の電力レベルを調整するための増幅器（１７０）が提供される。その後、増幅器（１７０）の出力信号は、受信した合成信号から信号減算器１８０によって減算され、これにより、再変調された上位層信号からの干渉のない受信した合成信号が提供され、これは次に第二復調器（１９０）において復調される。
【００８８】
本発明を、添付の特許請求の範囲の限定を目的としない特定の実施の形態に関して説明してきた。添付の特許請求の範囲から逸脱することなく、様々な修正を加えることができる。
【００８９】
例えば、上記実施の形態は、２つの層のみを有する階層分割多重に関するものである。しかしながら、本発明は３つ以上の異なる層にも適用することができる。この場合、アップサンプリングステップは、１つ以上の最上位層に施されてもよい。最上位層は、続く下位層のアップサンプリング係数以上のアップサンプリング係数でアップサンプリングされてもよい。
【００９０】
さらに、キャリア間干渉の低減を、上位層信号の２倍アップサンプリングと併せて説明してきた。しかしながら、上位層データを運ぶサブキャリアのスペクトル距離をさらに増加させ、キャリア間干渉をさらに減少させるために、データレートに応じて、Ｍ＝３又はＭ＝４などの他のアップサンプリング係数を使用することができる。
【００９１】
さらに、本発明を、特定の順方向誤り訂正符号（ＦＥＣ）、特定のビットインタリーバ、及び特定のシンボルマッパを含むビットインタリーブ符号化変調に基づくデジタルデータ放送に関して提示してきた。しかし、本発明は、デジタルデータを一連の複素数値セル又は実数値セルからなる変調信号に変換する任意の他の形式の変調にも同様に適用することができる。
【００９２】
さらに、本発明では、説明の都合上、アップサンプリング及びダウンサンプリングの語を用いて説明したが、送信器及び受信器は、必ずしも、アップサンプリング処理及びダウンサンプリング処理を行わなくてもよい。その場合、本発明でアップサンプリング及びダウンサンプリングの語を用いて説明したのと等価な処理が、他の演算処理又は信号処理等によって上位層データ及び下位層データに施されればよい。
【００９３】
最後に、本発明は直交周波数分割多重の文脈で提示されたが、他の形態のマルチキャリア変調にも適用され得る。
【００９４】
要約すると、本発明は、デジタルデータを放送するための技術に関し、特に直交周波数分割多重に関連する階層分割多重に関する。下位層のデータに対して非常に長いＯＦＤＭシンボルを使用しながら上位層のデータに対するキャリア間干渉を低減するために、変調された下位層信号と結合する前に、変調された上位層を係数Ｍ≧２でアップサンプリングすることが本発明の特定の手法である。このようにして、上位層データは、Ｍ番目毎のＯＦＤＭサブキャリアでのみ変調され、したがって、時変チャネル上のＩＣＩを大幅に低減する。
【００９５】
（実施の形態２）
背景技術に記載したとおり、直感的には、時間領域又は周波数領域のいずれにおいても一時停止することなく、２つ以上のサービスを同時に送信することによって、容量におけるＴＤＭ／ＦＤＭに対するＬＤＭの優位性が得られる。しかしながら、実際には、ＬＤＭは受信器のより一層の複雑さならびに送信システム設計における制約を伴う。
【００９６】
ＡＴＳＣ３．０によって採用されたレガシーＬＤＭシステムの特定の制約は、上位層と下位層とが暗黙のうちに同じＦＦＴ長を使用することである。それゆえ、固定受信器とモバイル受信器とが同時にサービスされるべきであるならば、ＦＦＴ長について妥協点を見出さなければならない。この問題は、より大きなサブキャリア間隔に影響を与え、それによってドップラー拡散に対するロバスト性を高めるために、モバイル受信器にデータを提供する上位層のアップサンプリング（ゼロパディング）によって対処される。
【００９７】
ここで、以下の注意点を観察することができる、つまり、上位層と下位層との重ね合わせの後、合成信号は時間インタリーブ段（ステージ）と周波数インタリーブ段（ステージ）とを通過するが、これらは、実質的に増加した上位層のサブキャリア間隔を部分的に無効にするという望ましくない効果を有する。原則として、インタリーブ後も一定のサブキャリア間隔を維持することができる行−列ブロックインタリーバなどの時間インタリーバが存在するが、これは疑似ランダム置換の特性を有する周波数インタリーバにはもはや当てはまらない。
【００９８】
インタリーブのために、上位層のサブキャリア間隔はもはや一定ではなくなる、つまり、一部のサブキャリアは互いに接近し、他のサブキャリアはより遠くなるだろう。正味の効果として、観察できるのは平均して実質的に拡大されたサブキャリア間隔である。これは、アップサンプリングメカニズムを用いるとドップラーに対するロバスト性がより高くなるが、従来のインタリーブ技術を適用するとこのロバスト性がある程度低下することを意味する。
【００９９】
上記の問題を考慮して、特に上位層アップサンプリングを採用するＬＤＭ結合器と組み合わせて、ドップラーに対して高いロバスト性を達成することができる改善されたインタリーブ構造を提供することがこの実施の形態の目的である。
【０１００】
上位層アップサンプリングを伴う階層分割多重の文脈において、２層以上のセルを運ぶＬＤＭ合成セルと１層のみのセルを運ぶＬＤＭ合成セルに対して別々のインタリーブ段を提供することが本発明の特定の提案である。このようにして、２層以上のセルを運ぶ合成セルのサブキャリア間隔を維持しながら、ＬＤＭ合成信号に対して時間及び周波数インタリーブを実行することができる。
【０１０１】
以下、２層以上からのセルを運ぶＬＤＭ合成セルを重畳セルと呼び、１層のみからのセルを運ぶＬＤＭ合成セルを非重畳セルと呼ぶ。
【０１０２】
本発明の第一態様に係って、デジタルデータを送信するための方法が提供される。方法は、第一サービスのデジタルデータを変調することによって第一変調信号を生成するステップ、第二サービスのデジタルデータを変調することによって第二変調信号を生成するステップ、第一変調信号の２つの連続サンプル毎に（Ｍ−１）個のゼロを挿入することによって第一変調信号をアップサンプリングするステップであって、Ｍは１より大きい正の整数であり、そしてアップサンプリングされた信号と第二変調信号とを加算することによって合成信号を生成するステップ、合成信号の連続サンプルのブロックに置換を適用することによって合成信号をインタリーブするステップであって、前記置換は、ブロックのＭ番目毎のサンプルからなるサブセットがそれ自体にマッピングされるように適用され、Ｍ番目毎のサンプルの前記サブセットは、第一変調信号のサンプルと第二変調信号のサンプルとの合計である合成信号のサンプルからなり、そしてインタリーブされた合成信号を送信するステップを含む。
【０１０３】
したがって、インタリーブは、重畳セルのセット、つまり（アップサンプリング前の）第一変調信号のサンプルと第二変調信号のサンプルとの合計である合成信号のサンプルのサブセットが、適用された置換のもとでは不変になるように実行される。これは、相補セット、つまり非重畳セルのセットも、適用された置換のもとでは不変であることを意味する。言い換えれば、重畳セルは重畳セルにのみマッピングされ、非重畳セルは非重畳セルにのみマッピングされる、つまり、重畳セルと非重畳セルとは独立してインタリーブされる。このように、重畳セル間のサブキャリア間隔（つまりスペクトル距離）はインタリーブ段によって変更されない。
【０１０４】
好ましい実施の形態では、インタリーブステップは、合成信号を、合成信号のＭ番目毎のサンプルからなるサンプルの第一シーケンスと、サンプルの第一シーケンスの一部ではない合成信号のサンプルからなるサンプルの第二シーケンスとに逆多重化するステップであって、サンプルの第一シーケンスは、第一変調信号のサンプルと第二変調信号のサンプルとの合計であるサンプルからなり、そしてサンプルの第一シーケンスに第一インタリーブ処理を適用するステップ、サンプルの第二サンプルシーケンスに第二インタリーブ処理を適用するステップ、インタリーブされたサンプルの第一シーケンスとインタリーブされたサンプルの第二シーケンスとを再多重化してインタリーブされた合成信号を取得するステップをさらに含む。このようにして、重畳セル上にのみ重畳セルをマッピングするという所望の特性を有する置換を簡単な方法で実施することができる。
【０１０５】
好ましくは、第一及び／又は第二インタリーブ処理は、行−列インタリーブ処理を含む。代替的又は追加的に、第一及び／又は第二インタリーブ処理は、擬似ランダムインタリーブ処理を含む。擬似ランダム及び行−列インタリーブは、それぞれ周波数及び時間インタリーブに関連し得る。
【０１０６】
好ましい実施の形態では、第一及び／又は第二インタリーブ処理のパラメータは、それぞれのデータフレームのＬ１シグナリング部分内でシグナリングされる。このようにして、インタリーブパラメータは、特定の伝播シナリオに適するように自由に選択することができる。
【０１０７】
好ましい実施の形態は、合成信号を所定の長さのフレームに分割するステップをさらに含み、各フレームのデータは直交周波数分割多重方式、ＯＦＤＭによって同時に送信される。ＯＦＤＭは、広帯域通信チャネルを介してデジタルデータを送信するための好ましい方法であり、ＤＶＢ−Ｔ２及びＡＴＳＣ３．０を含む多くのデジタル放送及び通信規格において使用されている。
【０１０８】
好ましくは、第一サービスのデータは、Ｍ番目毎のＯＦＤＭサブキャリアのみで送信される。これは、時変チャネル上の第一層データに対するＩＣＩを減少させ、同時に第二層データに対する長いＯＦＤＭシンボルを可能にする。したがって、モバイル機器は高い信頼性で第一サービスを受信することができ、一方、固定機器は高いデータレートで第二サービスを受信することができる。
【０１０９】
本発明の第二態様に係って、デジタルデータを受信するための方法が提供される。前記方法は、合成信号を受信するステップ、受信した合成信号からサンプルの第一シーケンスを逆多重化するステップであって、前記サンプルの第一シーケンスは、合成信号のＭ番目毎のサンプルからなり、Ｍは１より大きい正の整数であり、そしてサンプルの第一シーケンスに第一デインタリーブ処理を適用するステップ、デインタリーブされたサンプルの第一シーケンスを復調することによって第一サービスのデジタルデータを取り出すステップを含む。
【０１１０】
好ましい実施の形態では、方法は、受信した合成信号からサンプルの第二シーケンスを逆多重化するステップであって、前記サンプルの第二シーケンスは、サンプルの第一シーケンスの一部ではない合成信号のサンプルからなり、そして第二デインタリーブ処理をサンプルの第二シーケンスに適用するステップ、デインタリーブされたサンプルの第一シーケンスとデインタリーブされたサンプルの第二シーケンスとを再多重化して、デインタリーブされた合成信号を取得するステップ、第一サービスの取り出されたデジタルデータを変調することによって再変調信号を生成するステップ、再変調信号を係数Ｍでアップサンプリングするステップ、デインタリーブされた合成信号からアップサンプリングされた信号を減算することによって差信号を生成するステップ、差信号を復調することによって第二サービスのデジタルデータを取り出すステップをさらに含む。
【０１１１】
好ましい実施の形態では、方法は、フレームヘッダ内のＬ１シグナリングフィールドからインタリーブパラメータ情報を取得するステップをさらに含み、第一デインタリーブ処理及び第二デインタリーブ処理のうちの少なくとも一方は、得られたインタリーブパラメータ情報に係って、それぞれのサンプルのシーケンスに適用される。このようにして、インタリーブパラメータは、特定の伝播シナリオに適するように自由に選択することができる。
【０１１２】
好ましい実施の形態では、合成信号は一連のＯＦＤＭシンボルを復号することによって受信される。さらに、ダウンサンプリングステップは、Ｍ番目毎のＯＦＤＭサブキャリアのみを維持することができ、それによって、急速時変チャネル上のＩＣＩの低減を達成することができる。
【０１１３】
本発明の第三態様に係って、デジタルデータを送信するための送信器が提供される。送信器は、第一サービスのデジタルデータを変調することによって第一変調信号を生成する第一変調器、第二サービスのデジタルデータを変調することによって第二変調信号を生成する第二変調器、第一変調信号の２つの連続サンプル毎に（Ｍ−１）個のゼロを挿入することによって第一変調信号をアップサンプリングするアップサンプリング部であって、Ｍは１より大きい正の整数であり、そしてアップサンプリングされた信号と第二変調信号とを加算することによって合成信号を生成する信号結合器、合成信号の連続サンプルのブロックに置換を適用することによって合成信号をインタリーブするインタリーバであって、前記置換は、ブロックのＭ番目毎のサンプルからなるサブセットがそれ自体にマッピングされるように適用され、Ｍ番目毎のサンプルの前記サブセットは、第一変調信号のサンプルと第二変調信号のサンプルとの合計である合成信号のサンプルからなり、そして合成信号を送信する出力段を含む。
【０１１４】
本発明の第四態様に係って、デジタルデータを受信するための受信器が提供される。受信器は、合成信号を受信する入力段、受信した合成信号からサンプルの第一シーケンスを逆多重化する逆多重器であって、前記サンプルの第一シーケンスは、合成信号のＭ番目毎のサンプルからなり、Ｍは１より大きい正の整数であり、そしてサンプルの第一シーケンスに第一デインタリーブ処理を適用する第一デインタリーバ、デインタリーブされたサンプルの第一シーケンスを復調することによって第一サービスのデジタルデータを取り出す第一復調器を含む。
【０１１５】
好ましい実施の形態では、逆多重器は、受信した合成信号からサンプルの第二シーケンスを逆多重化するようにさらに適合され、前記サンプルの第二シーケンスは、サンプルの第一シーケンスの一部ではない合成信号のサンプルからなる。さらに、受信器は、第二デインタリーブ処理をサンプルの第二シーケンスに適用する第二インタリーバ、デインタリーブされたサンプルの第一シーケンスとデインタリーブされたサンプルの第二シーケンスとを再多重化して、デインタリーブされた合成信号を取得する多重化器、第一サービスの取り出されたデジタルデータを変調することによって再変調信号を生成する変調器、再変調信号を係数Ｍでアップサンプリングするアップサンプリング部、デインタリーブされた合成信号からアップサンプリングされた信号を減算することによって差信号を生成する信号減算器、及び差信号を復調することによって第二サービスのデジタルデータを取り出す第二復調器をさらに含む。
【０１１６】
実施の形態１に記載したとおり、原則として、ＬＤＭは、例えばモバイルおよび固定といった異なるタイプの受信器に、情報理論的に最適な方法で同時に役立つことができる。しかしながら、マルチパス効果に対処するためにＬＤＭがＯＦＤＭと対にされる場合、単一のＦＦＴ長が両方の層に暗黙のうちに割り当てられるが、モバイル層は好ましくはドップラー回復力のために短いＦＦＴを使用し、固定層は高いスペクトル効率のために長いＦＦＴを使用する。
【０１１７】
上位層のサブキャリア間隔を増加させるために上位層をアップサンプリングすることが提案される。しかしながら、従来、ＯＦＤＭ変調の前に時間及び周波数インタリーブが用いられており、これは上位層の増加したサブキャリア間隔を部分的に無効にする。以下、上位層の重畳セルの（絶えず増加する）サブキャリア間隔を維持するために、上位層アップサンプリングを有するＬＤＭ結合器に特に適合されたインタリーブ段を開示する。
【０１１８】
図９は、本発明の一実施の形態に係る、２層ＬＤＭのためのコンステレーション重ね合わせ及びインタリーブの技術を示すブロック図である。図９の構成は、長いＦＦＴ長とドップラー回復力との矛盾を解決し、一定のサブキャリア間隔が維持されるように時間及び周波数におけるインタリーブを提供する。このソリューションは、図１に示す一般的なＬＤＭ結合器の改良版であるＬＤＭ結合器とインタリーブ段という２つの主要な構成要素で構成されている。なお、ＯＦＤＭフレーマ３００は、実施の形態１のＯＦＤＭフレーマ８０と同じものである。
【０１１９】
図９の構成は、上位層データ及び下位層データのそれぞれに対して２つのＢＩＣＭ部（１０、１１）を備える。各ＢＩＣＭ部（１０、１１）は、入力データを誤り訂正コードで符号化するためのエンコーダ（図示せず）、バーストエラーに対する回復力を高めるためのビットインタリーバ（図示せず）、及び符号化されインタリーブされたビットシーケンスを複素デジタルシンボルのベースバンドシーケンスにマッピングするためのセルマッパ（図示せず）を含む。次に、上位層の変調信号と下位層の変調信号とが、ＬＤＭ結合器（１００）において合成信号に結合される。
【０１２０】
図９のＬＤＭ結合器（１００）は、図１に示した一般的なＬＤＭ結合器と類似しており、類似の要素は類似の参照番号によって識別され、その詳細な説明は省略する。図９のＬＤＭ結合器（１００）の構成は、ＬＤＭ結合器（１００）が上位層分岐にアップサンプリング部（１６０）と電力ブースタ（１７０）とをさらに備えるという点で、図１の一般的なＬＤＭ結合器とは異なる。アップサンプリング部（１６０）は、その入力信号に対してＭ倍のアップサンプリングを実行するが、これは、その入力において２つの連続するサンプルＸＵの間に（Ｍ−１）個のゼロを挿入し、それによってアップサンプリングされた信号ＸＵＭを生成することによって達成される。ゼロを挿入すると、電力が減少する。電力減少を補償するために、アップサンプリング係数Ｍの平方根に等しい係数γ、つまりγ＝ｓｑｒｔ（Ｍ）だけ信号の電力をブーストする電力ブースタ（１７０）が設けられる。この電力ブーストは、上位層信号γＸＵＭに単位電力を持たせる。
【０１２１】
この手法の利点は、ＬＤＭ合成信号が例えば３２ｋのＦＦＴの非常に長いＯＦＤＭ信号で運ばれ得ることで、下位層はあらゆるサブキャリアを利用することができるのでスペクトル効率が高くなり、上位層はＭ番目毎のサブキャリアのみを利用するため、ドップラー拡散に対して非常に頑健となる。送信信号は、２つのタイプの受信器、つまり（ｉ）高いドップラー拡散の影響を受けず、したがって長いＦＦＴ長から利益を得る固定受信器、及び（ｉｉ）高いドップラー拡散を経験し、したがって上位層上の実質的に増加したサブキャリア間隔から恩恵を受けるモバイル受信器に提供されることを理解されたい。
【０１２２】
ＬＤＭ結合器（１００）の後に、インタリーブ段（２００）が続き、インタリーブ段は、重畳セル間のスペクトル距離を維持するように特に適合されている。この目的のために、インタリーブ段（２００）は、２つの分岐、つまり重畳セルを処理するための第一分岐（図９の上の分岐）と、非重畳セルを処理するための第二分岐（図９の下の分岐）とを含む。均一Ｍ倍ダウンサンプリング部（２１０）及び不均一周期的Ｍ倍ダウンサンプリング部（２１１）として実装され得る逆多重器は、第一分岐用にはＬＤＭ結合器の出力からＭ番目毎のセルを抽出し、第二分岐用には他のすべてのセルを抽出する。逆多重器（ダウンサンプリング部（２１０、２１１））の各出力分岐は、時間及び周波数方向において互いに独立している重畳セル及び非重畳セルのそれぞれのシーケンスをインタリーブするための専用時間インタリーバ（２２０、２２１）及び専用周波数インタリーバ（２３０、２３１）の両方を有する。
【０１２３】
図９のインタリーブ部（つまり、時間インタリーバ（２２０、２２１）及び周波数インタリーバ（２３０、２３１））は、互いに独立して実装されてもよく、セルの異なるブロック（又は「チャンク」）に対して動作してもよい。具体的には、時間インタリーバ２２０及び２２１は、行−列インタリーブなどの第一種類のインタリーブを適用するように構成され、周波数インタリーブ部は、擬似ランダムインタリーブなどの異なる第二種類のインタリーブを施すように構成され、逆もまた同様である。さらに、各インタリーブ部は、別のインタリーブ部のブロックサイズとは異なるブロックサイズを有するブロックに対して動作し得る。この違いは、時間及び周波数インタリーブ、ならびに上位層及び下位層に関連し得る。下位層は、例えば、上位層の行−列インタリーバよりも多くの列及び／又は行を有する行−列インタリーバを含むことができ、逆もまた同様である。一方、上位層の周波数インタリーバは、対応する時間インタリーバが動作しているセルのブロックよりも小さいセルのブロックに対して動作してもよく、逆もまた同様である。下位層の時間及び周波数インタリーバについても同様である。時間及び周波数インタリーバのさらなる詳細を以下に論じる。
【０１２４】
さらに、図９の実施の形態では、上位分岐と下位分岐とのそれぞれに２つの独立したインタリーブ部がある。しかしながら、状況に応じて、より多い（例えば３つ又は４つ以上の独立したインタリーブ部）又はより少ない（例えば単一のインタリーブ部のみ）が上位分岐、下位分岐又は両方の分岐に実装されてもよい。
【０１２５】
さらに、上位分岐及び下位分岐のそれぞれにおけるインタリーブ段の構成は、例えば、伝播シナリオ、チャネル特性又は送信されるデータに応じて動的に変更されてもよく、構成にはビットエラー率、ＰＬＰの数、ＬＤＭ層の数、ＱｏＳ要件、変調、データレートなどが含まれる。具体的には、行−列インタリーバの列／行の数及び擬似ランダムインタリーバの長さなどの周波数及び／又は時間インタリーバの特性パラメータが適合されてもよい。実行されるインタリーブを特徴付けるパラメータは、以下に説明するように、受信器にシグナリングされてもよい。
【０１２６】
図９に戻って参照すると、上位分岐と下位分岐との両方が多重化器によって再び融合され、インタリーブ段の出力を形成するインタリーブされた合成信号を生成する。多重化器は、適切な位相関係を有する２つのアップサンプリングされた信号を加算するための信号加算器（２５０）と組み合わせて、均一Ｍ倍アップサンプリング部（２４０）及び不均一周期的Ｍ倍アップサンプリング部（２４１）として実装され得る。均一Ｍ倍アップサンプリング部（２４０）の動作は、ＬＤＭ結合器のアップサンプリング部（１６０）の動作と基本的に同じであり得る。クロック式スイッチ及びバッファを含む、逆多重器及び多重化器の他の実装形態も考えられる。
【０１２７】
図１０Ａは、本発明の実施の形態１に係る、ＬＤＭ合成信号を有する送信されたＯＦＤＭシンボルを示すスペクトル図である。図１０Ａは、上位層（実線）のデータが偶数サブキャリアのみ（Ｍ＝２）で変調され、下位層（一点鎖線）のデータが全てのサブキャリアで変調されること以外は、図４Ａと同様である。図４Ａの従来の合成信号の奇数サブキャリアのスペクトルエネルギーが、例示目的のためだけに破線で表されている。この信号成分は、本発明のＬＤＭ合成信号には存在しない。
【０１２８】
図１０Ｂは、時変チャネルを介して受信されるときの図１０ＡのＯＦＤＭシンボルを示すスペクトル図である。図１０Ｂは、上位層（実線）のデータが偶数サブキャリアのみ（Ｍ＝２）で変調され、下位層（一点鎖線）のデータが全てのサブキャリアで変調されること以外は、図４Ｂと同様である。図１０Ａと同様に、従来の合成信号の奇数サブキャリアのスペクトルエネルギーは、例示目的のためだけに破線で表されている。この信号成分は、本発明のＬＤＭ合成信号には存在しない。図１０Ｂから、特に図１０Ｂと図４Ｂとの比較から分かるように、隣接するサブキャリアからのキャリア間干渉は、従来のＬＤＭ合成信号と比較して著しく低減されている（［１］）。
【０１２９】
図１１Ａおよび図１１Ｂを参照して図９のインタリーブ段（２００）の動作を説明する。
【０１３０】
図１１Ａは、上位層アップサンプリングでＬＤＭ合成器によって出力されたＬＤＭ合成セルのシーケンスの概略図である。アップサンプリング係数Ｍは３なので、３番目毎のサブキャリアが上位層及び下位層の両方からのセル（「Ａ」とマークされている重畳セル）を運び、残りのすべてのサブキャリアが下位層のみからのセル（「Ｂ」及び「Ｃ」とマークされている非重畳セル）を運ぶ。
【０１３１】
図１１Ｂは、図１１Ａのセルシーケンスで動作するインタリーブ段の概略図である。インタリーブ段の主な目的は、重畳セル（「Ａ」とマークされている）と非重畳セル（「Ｂ」及び「Ｃ」とマークされている）を２つの別々のセルストリームに分割してこれら２つのセルストリームを個別にインタリーブし、２つのインタリーブされたストリームを単一のセルストリームに融合させることで、単一のセルストリームは次にフレーミングブロック及びＯＦＤＭブロックに渡される。
【０１３２】
以下、この概念の実現を可能にする図１１Ｂに示す特定の実施の形態を説明する。
【０１３３】
図１１Ｂのインタリーブ段は、ＬＤＭ結合器からセルシーケンスＡＢＣＡＢＣなどを受信している。上位分岐のセルは、Ｍ番目毎のセルを保持し、かつ重畳セル（「Ａ」とマークされている）のみをその出力において表示する均一Ｍ倍ダウンサンプリング器を通過する（これはＬＤＭ結合器中のＭ倍アップサンプリング器に対する二重操作である）。それらのセルは次に時間インタリーブされ周波数インタリーブされ、時間インタリーバ
【数１】
2019537869.tif 000003
と周波数インタリーバ
【数２】
2019537869.tif 000004
とは、上位分岐に固有のもので、下位分岐の対応するものと必ずしも同じではない。次にまた、インタリーブされたセルは、係数Ｍによって均一にアップサンプリングされる。
【０１３４】
下位分岐上のセルは、Ｍ番目毎のセルを削除し、かつその出力においてセルシーケンス「ＢＣＢＣ」等を提示する、不均一であるが周期的なＭ倍ダウンサンプリング器（ブロック
【数３】
2019537869.tif 000005
として示されている）を通過する。均一ダウンサンプリング器はＭ番目毎のサンプルを保持する一方で、不均一周期的ダウンサンプリング器はＭ番目毎のサンプルを削除することを強調しておく。したがって、不均一周期的ダウンサンプリング器の出力におけるデータレートは、Ｍ／（Ｍ−１）倍に低減される。
【０１３５】
セルは次に時間インタリーブされ周波数インタリーブされ、時間インタリーバ
【数４】
2019537869.tif 000006
と周波数インタリーバ
【数５】
2019537869.tif 000007
とは、下位分岐に固有のもので、下位分岐の対応するものと必ずしも同じではない。次にまた、下位分岐内のインタリーブされたセルは、２つの分岐間のゼロ上に非ゼロセルを配置するために、係数Ｍ及び１サンプルのオフセットによって周期的かつ不均一にアップサンプリングされる。これは、すべての（Ｍ−１）個のセルの間にゼロを挿入する二重の上向き矢印
【数６】
2019537869.tif 000008
でマークされたブロックによって処理される。
【０１３６】
特定の時間インタリーバ及び周波数インタリーバの例は、欧州通信規格協会ＥＮ  ３０２  ７５５「デジタルビデオ放送（ＤＶＢ）；第二世代地上デジタルテレビジョン放送システム（ＤＶＢ−Ｔ２）のためのフレーム構造チャネル符号化及び変調」、ｖ１．４．１、２０１５年２月において見ることができ、例えば、ＦＦＴ用長さが２１５＝３２Ｋまでのサブキャリアのための行−列ブロック時間インタリーバ及び偶数−奇数周波数インタリーバ及びそれらの変形である。
【０１３７】
インタリーブ段の最後のステップとして、２つの分岐がもう一度重ね合わされる。ＬＤＭ結合器における最初の重ね合わせとは異なり、ここでは、すべての層からのすべての非ゼロセルは、それぞれの他の層からのゼロと出会う。
【０１３８】
したがって、インタリーブ段の動作は、重ね合わされたセルのサブセット「Ａ」がそれ自体の上にマッピングされるように、合成セルのブロックに置換を適用することと等価である。言い換えれば、各重畳セルは他の重畳セルの位置にマッピングされる。非重畳セル「Ｂ」及び「Ｃ」は、重畳セル間の任意の位置にマッピングされる。このようにインタリーブすることにより、重畳セル間のスペクトル距離が維持される。
【０１３９】
上位層及び下位層の単一のＰＬＰの観点からＬＤＭを説明してきた。以下、ＬＤＭに関連して両方の層上に複数のＰＬＰがある一般的な場合について、図１２Ａ〜図１２Ｅと併せて考察する。
【０１４０】
ＡＴＳＣ３．０では、この一般的なケースを処理するために時間インタリーバグループ（ＴＩグループ）と呼ばれる概念が導入された。ＴＩグループはコア層ＰＬＰで表され、コア層ＰＬＰと、コア層ＰＬＰと層多重分割されているすべての拡張層ＰＬＰとで構成される。ＴＩグループ識別子は、制御シグナリング内のコア層ＰＬＰの位置によって暗黙のうちに与えられる。
【０１４１】
ＡＴＳＣ  ３．０のＬ１シグナリングは、ＰＬＰの開始アドレス、フレーム内のＰＬＰに割り当てられたセル数、及びコア又は拡張層のいずれかにおける受信器の位置を受信器に提供する。したがって、受信器は、ＰＬＰによってカバーされる時点を並べることによって受信器が潜在的にどのＴＩグループに属するかを導き出し、次に検出のためにＳＩＣを実行するためにどの拡張ＰＬＰがどのコア層ＰＬＰに属するかを関連付ける必要がある。
【０１４２】
ここでの目標は、選択されたＬＤＭ及びインタリーブパラメータについて一意的かつ明示的に受信器に知らせるためのＬ１シグナリングの一般的な形式を定義することである。この目的のために、ＬＤＭグループの定義は、単一のコア層ＰＬＰと、コア層ＰＬＰと階層分割多重されている１つ以上の拡張ＰＬＰとからなるＰＬＰのグループとして導入される。考え方としては、ＰＬＰを特定のＬＤＭグループ識別子に関連付けてから、ＬＤＭグループ識別子を使用して、制御シグナリング内の単一の一意の場所にすべてのＬＤＭ及びインタリーブパラメータを含めるということである。
【０１４３】
Ｌ１シグナリングのための特定の解決策を説明する前に、両方の層上に複数のＰＬＰが存在すると、ＬＤＭグループに含まれるＦＥＣブロックの様々な異なるアライメントがもたらされる可能性があることを理解することは有益である。次に、この概念を最も単純なものから最も複雑なものまで説明するために、５つのＦＥＣブロックのアライメントについて説明する。
【０１４４】
図１２Ａでは、１つのコアＰＬＰと１つの拡張ＰＬＰとが単一のＬＤＭグループを形成する最も単純な構成が示されている。さらに、ＰＬＰは完全に重なっている。ここでは、２つの根本的な仮定があり、１）コア層（ｐｌｐ＿ｉｄ＿０）及び拡張層は、一定の数のＦＥＣブロックを運び、それらは、変調次数に応じて必ずしも同じではない。２）コア層は、既にＭ倍アップサンプリング後の状態で提示されている。
【０１４５】
図１２Ｂでは、追加のＰＬＰ（ｐｌｐ＿ｉｄ＿２）がペアに加わる。１つのコアＰＬＰ（ｐｌｐ＿ｉｄ＿０）及び１つの拡張ＰＬＰ（ｐｌｐ＿ｉｄ＿１）が第一ＬＤＭグループ（ｌｄｍ＿ｇｒｏｕｐ＿０）を形成し、コア層上の単一のＰＬＰ（ｐｌｐ＿ｉｄ＿２）が第二ＬＤＭグループ（ｌｄｍ＿ｇｒｏｕｐ＿１）を形成する。
【０１４６】
以下の構成は、異なるＬＤＭ層に存在しながら重なるＰＬＰを導入することによって、前の２つと異なっている。図１２Ｃでは、３つのＰＬＰがコア層に存在し、単一のＰＬＰが拡張層に存在する。ＡＴＳＣ３．０の理論的根拠に従って、コア層がインタリーブを決定し、拡張層上の影響を受けるＰＬＰがそれに従う。したがって、コア層は拡張層を３つのＬＤＭグループ（ｌｄｍ＿ｇｒｏｕｐ＿０、ｌｄｍ＿ｇｒｏｕｐ＿１、ｌｄｍ＿ｇｒｏｕｐ＿２）に分割する。
【０１４７】
逆の状況が図１２Ｄで発生し、そこでは単一のＰＬＰ（ｐｌｐ＿ｉｄ＿０）がコア層上に存在し、拡張層上の３つのＰＬＰ（ｐｌｐ＿ｉｄ＿１、ｐｌｐ＿ｉｄ＿２、及びｐｌｐ＿ｉｄ＿３）にわたって広がっている。前の場合とは対照的に、ＡＴＳＣ３．０の理論的根拠に従って、単一のＬＤＭグループ（ｌｄｍ＿ｇｒｏｕｐ＿０）が形成される。
【０１４８】
最も複雑な場合を図１２Ｅに示す。合計で４つのＰＬＰがあり、コアと拡張層のそれぞれに２つあるが、第四ＰＬＰ（ｐｌｐ＿ｉｄ＿３）は２つのコアＰＬＰ、ｐｌｐ＿ｉｄ＿０及びｐｌｐ＿ｉｄ＿１と重なる。そのため、２つのＬＤＭグループ、ｌｄｍ＿ｇｒｏｕｐ＿０及びｌｄｍ＿ｇｒｏｕｐ＿１に分割される。各コア層ＰＬＰに入るＦＥＣブロックの数はｐｌｐ＿ｆｅｃ＿ｂｌｏｄｋｓ＿ｉｎ＿ｌｄｍ＿ｇｒｏｕｐｓとしてシグナリングされ、拡張層ＰＬＰが属するコア層の数はｎｕｍ＿ｐｌｐ＿ｉｎ＿ｌｄｍ＿ｇｒｏｕｐｓとしてシグナリングされる。
【０１４９】
時間インタリーブの好ましい実施の形態は、ＤＶＢ−Ｔ２で採用されているような行−列ブロックインタリーブである。時間インタリーバの選択及び設計を、以下の専門語を用いて論じる。
【０１５０】
【数７】
2019537869.tif 000009
・・・上位層のＦＥＣブロックあたりのセル数
【０１５１】
【数８】
2019537869.tif 000010
・・・上位層のＴＩブロックあたりのＦＥＣブロック数
【０１５２】
【数９】
2019537869.tif 000011
・・・下位層及びｉ番目のＰＬＰのＦＥＣブロックあたりのセル数
【０１５３】
【数１０】
2019537869.tif 000012
・・・下位層及びｉ番目のＰＬＰのＴＩブロックあたりのＦＥＣブロック数
【０１５４】
重要な制約は次のとおりであり、
【数１１】
2019537869.tif 000013
ＬＤＭグループ内では、アップサンプリング後の（左側の）上位層のセル数は、（右側の）下位層のセル数と等しくなければならないことを意味する。合計は、コア層ＰＬＰが複数の拡張層ＰＬＰにわたって広がるそれらのＦＥＣブロックアライメントを考慮に入れる（図１２Ｄ及び図１２Ｅ参照）。
【０１５５】
上位分岐の時間インタリーバ
【数１２】
2019537869.tif 000014
に入るセル数は、
【数１３】
2019537869.tif 000015
であり、これは整数であり、ブロックインタリーバは容易に実現される。問題はない。ただし、下位分岐の時間インタリーバ
【数１４】
2019537869.tif 000016
のセル数は、
【数１５】
2019537869.tif 000017
であり、Ｍはアップサンプリング係数である。
【０１５６】
概念的には、下位分岐におけるダウンサンプリングはパンクチャリングプロセスとして考えられるのが最良である、つまり、時間インタリーブ前に、ＦＥＣブロックは
【数１６】
2019537869.tif 000018
セルを有するＦＥＣブロックから
【数１７】
2019537869.tif 000019
セルを有するＦＥＣブロックに実際に短縮される。
【０１５７】
図１３Ａ及び図１３Ｂはそれぞれ、上記の考察に係る、（下位層上の単一のＰＬＰの）時間インタリーバ
【数１８】
2019537869.tif 000020
及び
【数１９】
2019537869.tif 000021
のレイアウトを示す。
【０１５８】
この用語
【数２０】
2019537869.tif 000022
は、整数以外の数になる可能性があるため、潜在的に面倒である。幸いなことに、６４８００コードビットの長いＦＥＣコードに対しては、パンクチャリングは最大４０９６−ＱＡＭ及び最大ダウンサンプリング係数Ｍ＝６までのすべてのＱＡＭコンステレーションに対して整数のサンプルを生成するので、当てはまらない。しかしながら、１６２００コードビットの短いＦＥＣコードに対しては、整数でない数のサンプルが生じる場合があり、つまり、
−２５６ＱＡＭ、Ｍ＝２、
−１６ＱＡＭ、Ｍ＝４、
−２５６ＱＡＭ、Ｍ＝４、
−２５６ＱＡＭ、Ｍ＝６の場合である。
【０１５９】
拡張／下位層は通常、長いＬＤＰＣコードワードを使用して高レートのサービスを運ぶため、これらは希少ケースと見なすことができる。これらの希少ケースもカバーする可能性のある解決策は、それらにインタリーバを通過させる前に、２つのＦＥＣブロックを組み合わせてスーパーＦＥＣブロックを形成することである。概念的には、これは、時間インタリーバが可変数の列に加えて可変数の行を有することを可能にすることによって達成される。
【０１６０】
完全に可変数の列及び行を有する時間インタリーバレイアウトを可能にする同じ手法はまた、コア層ＰＬＰ毎に複数の拡張ＰＬＰが存在する状況を容易にする。図１３の時間インタリーバレイアウトは、例えば図１２Ａのような一対一のＦＥＣブロックアラインメントを反映している。ここでは、ＴＩの行及び列の選択は簡単である。例えば図１２Ｄ及び図１２Ｅのように複数の拡張ＰＬＰが存在する場合、状況は異なる。簡単にするために、拡張層上の２つのＰＬＰを想定する。これらを図１４Ａ及び１４Ｂに示す。
【０１６１】
２つのＰＬＰは、ｎｕｍ＿ｔｉ＿ｒｏｗｓ＿ｌｏｗｅｒとｎｕｍ＿ｔｉ＿ｃｏｌｕｍｎｓ＿ｌｏｗｅｒとで一般的にシグナリングされる次元を有する時間インタリーバに一緒に渡される（図１４Ｃ参照）。
【０１６２】
周波数インタリーブ（ＦＩ）の好ましい実施の形態は、ＤＶＢ−Ｔ２で採用されているような擬似ランダム解である。ＤＶＢ−Ｔ２に係れば、ＦＩのパラメータ（例えば、周波数インタリーバのシーケンス長及びＯＦＤＭセル内のデータセル数）は、選択されたＦＦＴ長及びパイロットパターンに基づいて暗黙のうちに選択される。ＤＶＢ−Ｔ２のＦＩは概念的にはＯＦＤＭ変調の一部であり、個々のＰＬＰではなくすべてのサブキャリアに適用される。
【０１６３】
ＥＴＳＩ  ＥＮ  ３０２  ７５５  ｖ１．４．１に係れば、ＤＶＢ−Ｔ２に対する置換関数Ｈ（ｐ）は以下のアルゴリズムによって決定される。
【０１６４】
【数２１】
2019537869.tif 000023
【０１６５】
【表１】
2019537869.tif 000024
【０１６６】
周波数インタリーバは、最大Ｎｄａｔａ≦Ｍｍａｘセルに及ぶことができる。時間インタリーバは、通常、Ｎｄａｔａ個のセルを超えて、つまりＫ個のセルに及び、つまり、Ｋ≧Ｎｄａｔａとなる。整数Ｋは、上位インタリーブ分岐に
【数２２】
2019537869.tif 000025
の値を想定でき、下位インタリーブ分岐に
【数２３】
2019537869.tif 000026
の値を想定できる。一例を図１５に示す。
【０１６７】
周波数インタリーバは一般に、時間インタリーバ出力においてセルの複数のブロックに適用される。Ｎｄａｔａ個のセルを含むフロア（Ｋ／Ｎｄａｔａ）ブロックがあり、その後に０のブロック又はＮｄａｔａ個のＫ％のセルを含む１個の後続ブロックがある。Ｎｄａｔａ個のＫ％のセルを含む後続ブロックがある場合、上記アルゴリズムのｉｆ節、つまり（Ｈ（ｐ）＜Ｎｄａｔａ）がｉｆ（Ｈ（ｐ）＜Ｋ％Ｎｄａｔａ）に変更されることが理解される。
【０１６８】
周波数インタリーバがすべてのサブキャリアに適用されるＤＶＢ−Ｔ２とは対照的に、本発明では、ＦＩはＬＤＭグループの一部になり、したがってＬ１構成可能／Ｌ１基本部分においてｎｕｍ＿ｍｏｄｅ＿ｆｉ＿ｕｐｐｅｒ及びｎｕｍ＿ｆｉ＿ｍｏｄｅ＿ｌｏｗｅｒとしてシグナリングされ、これにより各インタリーブ分岐に対するＭｍａｘを表す。ＮｄａｔａはＦＦＴ長とは独立して選択され得るので、Ｎｄａｔａはまた、動的Ｌ１シグナリングの一部として、上位及び下位インタリーブ分岐についてｎｕｍ＿ｆｉ＿ｄａｔａ＿ｕｐｐｅｒ及びｎｕｍ＿ｆｉ＿ｄａｔａ＿ｌｏｗｅｒとしてそれぞれシグナリングされる。
【０１６９】
データは通常プリアンブル部分とペイロード部分に分割されたフレームで送信される。プリアンブルは、いわゆるＬ１シグナリングを運び、ペイロードで運ばれるデータを復調できるように受信器によって要求されるパラメータからなる。そのようなパラメータの例は、採用されたＦＥＣコード又はＰＬＰのための変調であり得る。
【０１７０】
通常、Ｌ１シグナリングは、いくつかのフレームに対して一定のパラメータと、おそらくフレーム間でより動的に変化するパラメータとに分割される。ＤＶＢ−Ｔ２では、Ｌ１シグナリングはＬ１プレ及びＬ１ポストに分割され、それによって後者は再び構成可能な部分と動的部分とに分割される。そしてＡＴＳＣ３．０では、同様に、Ｌ１シグナリングは基本部分と動的部分とで運ばれる。
【０１７１】
本発明のための潜在的に構成可能なＬ１シグナリングをテーブル１に示す。ＰＬＰの数は、ｎｕｍ＿ｐｌｐで表される。層のタイプ（コア／上位又は拡張／下位）はｐｌｐ＿ｌａｙｅｒで表される。下位層上のＰＬＰをそれぞれの上位層ＰＬＰに一意にリンクするために、ｌｄｍ＿ｇｒｏｕｐ＿ｉｄと呼ばれる識別子が導入される。
【０１７２】
時間インタリーブモードの他に、ＤＶＢ−Ｔ２では、フレーム内及びフレーム間の時間インタリーブの概念があることに留意されたい。フレーム内時間インタリーブは、単一のＴ２フレーム内で複数のいわゆるＴＩブロック（１つのＴＩブロックは複数のＦＥＣブロックを含み、時間インタリーバの１回の使用に対応する）を時間インタリーブすることを可能にし、フレーム間時間インタリーブは、複数のＴＩフレームにわたる単一のＴＩブロックのインタリーブに対応する。さらに、ＤＶＢ−Ｔ２では、時間インタリーブのタイプ（フレーム内又はフレーム間インタリーブ）はフラグｔｉｍｅ＿ｉｌ＿ｔｙｐｅによってシグナリングされ、ＴＩブロックの数はｔｉｍｅ＿ｉｌ＿ｌｅｎｇｔｈによって与えられる。
【０１７３】
原則として、フレーム内／フレーム間インタリーブの概念はＬＤＭにも適用可能であり、これはコア層ＰＬＰが時間インタリーブモードを決定することを意味する。したがって、これはテーブル１のフラグｔｉｍｅ＿ｉｌ＿ｔｙｐｅ及びｔｉｍｅ＿ｉｌ＿ｌｅｎｇｔｈによってシグナリングされる。図１２ＥのようにＰＬＰが重なっている場合には、１つの制約を守らなければならない。ここで、拡張層ＰＬＰの一部を運ぶすべてのコア層ＰＬＰは、同じ時間インタリーブモードを採用すべきである。しかしながら、これらの制約は本発明の範囲外であり、それぞれの仕様によって調整されなければならない。
【０１７４】
拡張層ＰＬＰ毎に複数のコアＰＬＰがある場合、コアＰＬＰの数はｎｕｍ＿ｐｌｐ＿ｌｄｍ＿ｇｒｏｕｐｓとしてシグナリングされ、その後に、どのコア層ＰＬＰに拡張ＰＬＰが接続されているかを示すＬＤＭグループ識別子（ｌｄｍ＿ｇｒｏｕｐ＿ｉｄ）のリストが続く。
【０１７５】
ＬＤＭグループの総数は、ｎｕｍ＿ｌｄｍ＿ｇｒｏｕｐｓで表される。これは、コア層ＰＬＰの数と同じである。各ＬＤＭグループについて、アップサンプリング係数はｐｌｐ＿ｕｐ＿ｓａｍｐｌｉｎｇ＿ｆａｃｔｏｒ、ブースト係数はｐｌｐ＿ｂｏｏｓｔ＿ｆａｃｔｏｒ、注入レベルはｐｌｐ＿ｉｎｊｅｃｔｉｏｎ＿ｌｅｖｅｌ、上下位層のＦＥＣブロックの最大数はそれぞれｎｕｍ＿ｔｉ＿ｃｏｌｕｍｎｓ＿ｕｐｐｅｒ＿ｍａｘ及びｎｕｍ＿ｔｉ＿ｃｏｌｕｍｎｓ＿ｌｏｗｅｒ＿ｍａｘとしてシグナリングされる。
【０１７６】
【表２】
2019537869.tif 000027
【０１７７】
式（１）の制約を参照すると、ＦＥＣブロックの数
【数２４】
2019537869.tif 000028
及び
【数２５】
2019537869.tif 000029
は、動的Ｌ１シグナリングの一部としてシグナリングされる（テーブル２参照）。拡張ＰＬＰが複数のコア層ＰＬＰに加わることが可能であるので、各コア層ＰＬＰと重複するＦＥＣブロックの数は、ｐｌｐ＿ｆｅｃ＿ｂｌｏｃｋｓ＿ｉｎ＿ｌｄｍ＿ｇｒｏｕｐとしてシグナリングされる。
【０１７８】
さらに、各ＬＤＭグループに対して、ＬＤＭグループ識別子ｌｄｍ−ｇｒｏｕｐ＿ｉｄがシグナリングされ、その後に時間インタリーバの特定のレイアウト
【数２６】
2019537869.tif 000030
及び
【数２７】
2019537869.tif 000031
が続き、つまりそれらの列数（ｎｕｍ＿ｔｉ＿ｃｏｌｕｍｎｓ＿ｕｐｐｅｒ、ｎｕｍ＿ｔｉ＿ｃｏｌｕｍｎｓ＿ｌｏｗｅｒ）及び行数（ｎｕｍ＿ｔｉ＿ｒｏｗｓ＿ｕｐｐｅｒ、ｎｕｍ＿ｔｉ＿ｒｏｗｓ＿ｌｏｗｅｒ）である。
【０１７９】
最後に、ｎｕｍ＿ｆｉ＿ｍｏｄｅ＿ｕｐｐｅｒ及びｎｕｍ＿ｆｉ＿ｍｏｄｅ＿ｌｏｗｅｒは、上位層及び下位層の周波数インタリーバモード（Ｍｍａｘ）をシグナリングする。
【０１８０】
したがって、特定のＬＤＭ構成を識別するパラメータのセットは、特定のインタリーバ構成を識別するパラメータのセットと共にシグナリングされ得る。両方のパラメータセットは、ＬＤＭ＿ｇｒｏｕｐ＿ｉｄなどの共通の識別子によって論理的にリンクされ得る。論理的なグループ分け又はリンクのための他の手段が採用されてもよい。
【０１８１】
テーブル１及びテーブル２は、ＬＤＭ関連パラメータ及びインタリーバ関連パラメータの両方をシグナリングするための例示的な実施の形態を示す。しかし、本発明はこの特定の実施の形態に限定されず、状況に応じて異なる構文を採用することができる。構文は、例えば、追加のパラメータを含み、これらのパラメータのいくつかを除外し、あるいはこれらのパラメータを代替の順序又は論理的なグループ分けで提供することができる。
【０１８２】
【表３】
2019537869.tif 000032
【０１８３】
図１６Ａは、上位層のみを受信するように構成されている受信器、例えばモバイル受信器の概略ブロック図である。受信器は、合成信号を受信するためのＯＦＤＭ復調器（３００’）を備える。受信された合成信号は、上位層データを運ぶサブキャリアを分離するために、ダウンサンプリング部（２１０）において係数Ｍによってダウンサンプリングされる。その後、ダウンサンプリングされた信号は、周波数デインタリーバ（２２０’）及び時間デインタリーバ（２３０’）でデインタリーブされ、上位層のデジタルデータを取り出すために復調器（１０’）において復調される。周波数デインタリーバ（２２０’）及び時間デインタリーバ（２３０’）は、例えば、それぞれのインタリーバによって適用される置換の逆である置換を適用することによって、それぞれ図９及び図１１に関連して説明した周波数インタリーバ（２２０）及び時間インタリーバ（２３０）の逆演算を実行する。適用される置換を特徴付けるパラメータに関する情報は、上述のＬ１シグナリングなどのシグナリング情報から取り出され得る。
【０１８４】
図１６Ｂは、上位層及び下位層の両方を受信するように構成されている受信器、例えば固定受信器の概略ブロック図である。図１６Ｂの受信器は、ＯＦＤＭ復調器（３００’）、ダウンサンプリング部（２１０）、周波数及び時間インタリーバ（２２０’、２３０’）及び復調器（１０’）を含む、上位層のデジタルデータを取り出すための図１６Ａの受信器のすべての構成要素を備える。
【０１８５】
図１６Ｂの受信器は、非重畳セルをデインタリーブするための分岐をさらに備える。この目的のために、受信信号のセルは、それぞれダウンサンプリング部２１０及び２１１によって重畳セルと非重畳セルとに効果的に逆多重化される。重畳セルは、図１２Ａに関連して説明したように、図１２Ｂの上位分岐においてデインタリーブされる。非重畳セルは、例えば、それぞれのインタリーバによって適用される置換の逆である置換を適用することによって、それぞれ図９及び図１１に関連して説明した周波数インタリーバ（２２１）及び時間インタリーバ（２３１）の逆演算を実行する周波数デインタリーバ（２２１’）及び時間デインタリーバ（２３１’）によってデインタリーブされる。次に、両方の分岐のデインタリーブされたセルは、上述のように、２つのアップサンプリング部（２４０、２４１）及び信号加算器（２５０）によって再多重化される。信号加算器（２５０）の出力は、受信器によって受信されたときのデインタリーブ合成信号である。
【０１８６】
デインタリーブ合成信号から下位層データを抽出するために、上位層データを再変調するための変調器（１０）、再変調された信号をアップサンプリングするためのアップサンプリング部（１６０）、及びアップサンプリングされた信号の電力レベルを調整するための増幅器（１７０）が提供される。その後、増幅器（１７０）の出力信号は、デインタリーブ合成信号から信号減算器（１４０’）によって減算され、これにより、再変調された上位層信号からの干渉のない受信合成信号が提供され、これは次に第二復調器（１１’）において復調される。
【０１８７】
本発明を、添付の特許請求の範囲の限定を目的としない特定の実施の形態に関して説明してきた。添付の特許請求の範囲から逸脱することなく、様々な修正を加えることができる。
【０１８８】
例えば、上記実施の形態は、２つの層のみを有する階層分割多重に関するものである。しかしながら、本発明は３つ以上の異なる層にも適用することができる。この場合、アップサンプリングステップは、１つ以上の最上位層に施されてもよい。それに応じて合成信号を逆多重化及び再多重化することによって、各層のセルを専用のインタリーバにかけることができる。最上位層は、続く下位層のアップサンプリング係数以上のアップサンプリング係数でアップサンプリングされてもよい。
【０１８９】
さらに、キャリア間干渉の低減を、上位層信号の２倍アップサンプリングと併せて説明してきた。インタリーブ段及びデインタリーブ段を、上位層信号の３倍アップサンプリングに関連して説明してきた。しかしながら、上位層データを運ぶサブキャリアのスペクトル距離をさらに増加させ、キャリア間干渉をさらに減少させるために、データレートに応じて、Ｍ＝２、Ｍ＝３又はＭ＝４などの任意の適切なアップサンプリング係数を使用することができる。
【０１９０】
さらに、本発明を、特定の順方向誤り訂正符号（ＦＥＣ）、特定のビットインタリーバ、及び特定のシンボルマッパを含むビットインタリーブ符号化変調に基づくデジタルデータ放送に関して提示してきた。しかし、本発明は、デジタルデータを一連の複素数値セル又は実数値セルからなる変調信号に変換する任意の他の形式の変調にも同様に適用することができる。
【０１９１】
最後に、本発明は直交周波数分割多重の文脈で提示されたが、他の形態のマルチキャリア変調にも適用され得る。
【０１９２】
要約すると、本発明は、デジタルデータを放送するための技術に関し、特に、直交周波数分割多重と関連する階層分割多重（ＬＤＭ）に関し、ここでは上位層データは、キャリア間干渉を減らすためにＭ番目毎のＯＦＤＭサブキャリアにのみ変調される。本発明は、２層以上のセルを運ぶＬＤＭ合成セルと、１層のみのセルを運ぶＬＤＭ合成セルとについて別々のインタリーブ段を提供する。このようにして、２層以上のセルを運ぶ合成セルのサブキャリア間隔を維持しながら、ＬＤＭ合成信号に対して時間及び周波数インタリーブを実行することができる。
【０１９３】
なお、上記各実施の形態の送信装置は、以下のようにも表現され得る。
【０１９４】
図１７は、送信装置５００の構成を示すブロック図である。
【０１９５】
図１７に示されるように、送信装置５００は、割当器５１０と生成器５２０とを備える。
【０１９６】
送信装置５００は、第一データ列と第二データ列とをＯＦＤＭによって送信する。
【０１９７】
割当器５１０は、第一データ列と第二データ列とを取得し、取得した第一データ列と第二データ列とを結合し、ＯＦＤＭの複数のサブキャリアに割り当てる。また、割当器５１０は、複数のサブキャリアのうちの複数の第一サブキャリアに、第一データ列に含まれるデータと第二データ列に含まれるデータとを割り当て、複数のサブキャリアのうちの複数の第一サブキャリアと異なる複数の第二サブキャリアに、第一データ列に含まれるデータと第二データ列に含まれるデータとのうち第二データ列に含まれるデータを割当てる。
【０１９８】
生成器５２０は、複数のサブキャリアからＯＦＤＭ信号を生成する。
【０１９９】
これにより、送信装置５００は、デジタルデータの送信性能を向上できる。
【０２００】
図１８は、受信装置６００の構成を示すブロック図である。
【０２０１】
図１８に示されるように、受信装置６００は、受信器６１０と、読出器６２０とを備える。
【０２０２】
受信装置６００は、第一データ列と第二データ列とをＯＦＤＭによって受信する。
【０２０３】
受信器６１０は、ＯＦＤＭ信号を受信する。
【０２０４】
読出器６２０は、受信器６１０が受信したＯＦＤＭ信号から第一データ列と第二データ列とを読み出す。また、読出器６２０は、ＯＦＤＭの複数のサブキャリアのうちの複数の第一サブキャリアから、第一データ列に含まれるデータと第二データ列に含まれるデータとを読み出し、複数のサブキャリアのうちの複数の第一サブキャリアと異なる複数の第二サブキャリアから、第一データ列に含まれるデータと第二データ列に含まれるデータとのうち第二データ列に含まれるデータを読み出す。
【０２０５】
これにより、受信装置６００は、デジタルデータの受信性能を向上できる。
【０２０６】
図１９は、各実施の形態の送信方法を示すフロー図である。この送信方法は、第一データ列と第二データ列とをＯＦＤＭによって送信する送信方法である。
【０２０７】
ステップＳ５１０において、送信装置は、第一データ列と第二データ列とを取得し、取得した第一データ列と第二データ列とを結合し、ＯＦＤＭの複数のサブキャリアに割り当てる。この割り当てでは、複数のサブキャリアのうちの複数の第一サブキャリアに、第一データ列に含まれるデータと第二データ列に含まれるデータとを割り当て、複数のサブキャリアのうちの複数の第一サブキャリアと異なる複数の第二サブキャリアに、第一データ列に含まれるデータと第二データ列に含まれるデータとのうち第二データ列に含まれるデータを割当てる。
【０２０８】
ステップＳ５２０において、前記複数のサブキャリアからＯＦＤＭ信号を生成する。
【０２０９】
これにより、デジタルデータの送信性能を向上できる。
【０２１０】
図２０は、各実施の形態の受信方法を示すフロー図である。この受信方法は、第一データ列と第二データ列とをＯＦＤＭによって受信する受信方法である。
【０２１１】
ステップＳ６１０において、ＯＦＤＭ信号を受信する。
【０２１２】
ステップＳ６２０において、受信器が受信したＯＦＤＭ信号から第一データ列と第二データ列とを読み出す。この読み出しでは、ＯＦＤＭの複数のサブキャリアのうちの複数の第一サブキャリアから、第一データ列に含まれるデータと第二データ列に含まれるデータとを読み出し、複数のサブキャリアのうちの複数の第一サブキャリアと異なる複数の第二サブキャリアから、第一データ列に含まれるデータと第二データ列に含まれるデータとのうち第二データ列に含まれるデータを読み出す。
【０２１３】
これにより、送信受信６００は、デジタルデータの受信性能を向上できる。
【０２１４】
なお、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の送信装置及び受信装置などを実現するソフトウェアは、次のようなプログラムである。
【０２１５】
すなわち、このプログラムは、コンピュータに、第一データ列と第二データ列とをＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）によって送信する送信方法であって、前記第一データ列と前記第二データ列とを取得し、取得した前記第一データ列と前記第二データ列とを結合し、ＯＦＤＭの複数のサブキャリアに割り当て、前記複数のサブキャリアからＯＦＤＭ信号を生成し、前記割り当てでは、前記複数のサブキャリアのうちの複数の第一サブキャリアに、前記第一データ列に含まれるデータと前記第二データ列に含まれるデータとを割り当て、前記複数のサブキャリアのうちの前記複数の第一サブキャリアと異なる複数の第二サブキャリアに、第一データ列に含まれるデータと第二データ列に含まれるデータとのうち第二データ列に含まれるデータを割当てる送信方法を実行させる。
【０２１６】
また、このプログラムは、コンピュータに、第一データ列と第二データ列とをＯＦＤＭによって受信する受信方法であって、ＯＦＤＭ信号を受信し、受信した前記ＯＦＤＭ信号から前記第一データ列と前記第二データ列とを読み出し、前記読み出しでは、ＯＦＤＭの複数のサブキャリアのうちの複数の第一サブキャリアから、前記第一データ列に含まれるデータと前記第二データ列に含まれるデータとを読み出し、前記複数のサブキャリアのうちの前記複数の第一サブキャリアと異なる複数の第二サブキャリアから、第一データ列に含まれるデータと第二データ列に含まれるデータとのうち第二データ列に含まれるデータを読み出す受信方法を実行させる。
【０２１７】
以上、一つまたは複数の態様に係る送信装置及び受信装置などについて、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【産業上の利用可能性】
【０２１８】
本発明は、ＯＦＤＭによりデータを送受信する送信装置及び受信装置に利用可能である。
【符号の説明】
【０２１９】
１０，２０  ＢＩＣＭ部
３０  注入レベル制御器
４０，２５０  信号加算器
５０  電力正規化部
６０，２４０，２４１  アップサンプリング部
７０  電力ブースタ
７２，２２０，２２１  時間インタリーバ
７４，２３０，２３１  周波数インタリーバ
８０，３００  ＯＦＤＭフレーマ
１００  ＬＤＭ結合器
１１０  ＯＦＤＭ復調器
１２０，２２０’，２２１’  周波数デインタリーバ
１２５，２３０’，２３１’  時間デインタリーバ
１３０，２１０，２１１  ダウンサンプリング部
１４０，１９０，１０’，１１’  復調器
１５０  変調器
１６０  アップサンプリング部
１７０  増幅器
１８０  信号減算器
２００  インタリーブ段
３００’  ＯＦＤＭ復調器
【図１】
2019537869.tif 000033
【図２Ａ】
2019537869.tif 000034
【図２Ｂ】
2019537869.tif 000035
【図３】
2019537869.tif 000036
【図４Ａ】
2019537869.tif 000037
【図４Ｂ】
2019537869.tif 000038
【図５】
2019537869.tif 000039
【図６Ａ】
2019537869.tif 000040
【図６Ｂ】
2019537869.tif 000041
【図７】
2019537869.tif 000042
【図８Ａ】
2019537869.tif 000043
【図８Ｂ】
2019537869.tif 000044
【図９】
2019537869.tif 000045
【図１０Ａ】
2019537869.tif 000046
【図１０Ｂ】
2019537869.tif 000047
【図１１Ａ】
2019537869.tif 000048
【図１１Ｂ】
2019537869.tif 000049
【図１２Ａ】
2019537869.tif 000050
【図１２Ｂ】
2019537869.tif 000051
【図１２Ｃ】
2019537869.tif 000052
【図１２Ｄ】
2019537869.tif 000053
【図１２Ｅ】
2019537869.tif 000054
【図１３Ａ】
2019537869.tif 000055
【図１３Ｂ】
2019537869.tif 000056
【図１４Ａ】
2019537869.tif 000057
【図１４Ｂ】
2019537869.tif 000058
【図１４Ｃ】
2019537869.tif 000059
【図１５】
2019537869.tif 000060
【図１６Ａ】
2019537869.tif 000061
【図１６Ｂ】
2019537869.tif 000062
【図１７】
2019537869.tif 000063
【図１８】
2019537869.tif 000064
【図１９】
2019537869.tif 000065
【図２０】
2019537869.tif 000066
【国際調査報告】
2019537869.tif 000067
2019537869.tif 000068
2019537869.tif 000069